(57)【要約】【課題】容易に、低コストで、画質を向上させる。【解決手段】プラズマディスプレイパネルの１画素において、赤色に発光する発光セル１０１−１および発光セル１０１−２に、走査期間（アドレス期間）において、第１の電圧が印加された場合、サブフィールドで発光セル１０１−１を発光させる量の電荷を発光セル１０１−１に蓄積させ、そのサブフィールドで発光セル１０１−２を発光させない量の電荷を発光セル１０１−２に蓄積させ、第２の電圧が印加された場合、サブフィールドで発光セル１０１−１および発光セル１０１−２を発光させる量の電荷を発光セル１０１−１および発光セル１０１−２に蓄積させるアドレス電極４１−Ｎを設ける。緑色に発光する２個の発光セル、青色に発光する２個の発光セルにおいても、同様のアドレス電極を設ける。本発明は、プラズマディスプレイ装置に適用することができる。【選択図】図２
2006236946.tif 000002
【特許請求の範囲】
【請求項１】
第１のセルと、
前記第１のセルに隣接するように設けられている第２のセルと、
サブフィールドのうちの発光させるか発光させないかを選択する期間において、第１の電圧が印加された場合、そのサブフィールドにおいて前記第１のセルを発光させる量の電荷を前記第１のセルに蓄積させ、そのサブフィールドにおいて前記第２のセルを発光させない量の電荷を前記第２のセルに蓄積させ、第２の電圧が印加された場合、そのサブフィールドにおいて前記第１のセルおよび前記第２のセルを発光させる量の電荷を前記第１のセルおよび前記第２のセルに蓄積させる電極と
を備えることを特徴とするプラズマディスプレイパネル。
【請求項２】
前記電極は、
前記第１の電圧または前記第２の電圧が印加された場合、前記第１のセルを発光させる量の電荷を前記第１のセルに蓄積させる第１の電極と、
前記第１の電極と一体に構成され、前記第１の電圧が印加された場合、前記第２のセルを発光させない量の電荷を前記第２のセルに蓄積させ、前記第２の電圧が印加された場合、前記第２のセルを発光させる量の電荷を前記第２のセルに蓄積させる第２の電極とからなる
ことを特徴とする請求項１に記載のプラズマディスプレイパネル。
【請求項３】
前記第１のセルにおいて蓄積される電荷の量に比較して、前記第２のセルにおいて蓄積される電荷の量を抑制する誘電体の層をさらに備える
ことを特徴とする請求項１に記載のプラズマディスプレイパネル。
【請求項４】
前記第１のセルおよび前記第２のセルは、発光する場合、赤色、緑色、または青色のいずれかである同じ色の光を射出する
ことを特徴とする請求項１に記載のプラズマディスプレイパネル。
【請求項５】
前記第１のセルを発光させた場合の輝度と、前記第１のセルおよび前記第２のセルを発光させた場合の輝度との比は、１：２である
ことを特徴とする請求項１に記載のプラズマディスプレイパネル。
【請求項６】
第１のセルと、
前記第１のセルに隣接するように設けられている第２のセルと、
サブフィールドのうちの発光させるか発光させないかを選択する期間において、第１の電圧が印加された場合、そのサブフィールドにおいて前記第１のセルを発光させる量の電荷を前記第１のセルに蓄積させ、そのサブフィールドにおいて前記第２のセルを発光させない量の電荷を前記第２のセルに蓄積させ、第２の電圧が印加された場合、そのサブフィールドにおいて前記第１のセルおよび前記第２のセルを発光させる量の電荷を前記第１のセルおよび前記第２のセルに蓄積させる電極と
発光させるか発光させないかを選択する期間において、前記電極に、前記第１の電圧、前記第２の電圧、または前記第１のセルおよび前記第２のセルを発光させないための第３の電圧を印加する電圧印加手段と
を備えることを特徴とするプラズマディスプレイ装置。
【請求項７】
前記電極は、
前記第１の電圧または前記第２の電圧が印加された場合、前記第１のセルを発光させる量の電荷を前記第１のセルに蓄積させる第１の電極と、
前記第１の電極と一体に構成され、前記第１の電圧が印加された場合、前記第２のセルを発光させない量の電荷を前記第２のセルに蓄積させ、前記第２の電圧が印加された場合、前記第２のセルを発光させる量の電荷を前記第２のセルに蓄積させる第２の電極とからなる
ことを特徴とする請求項６に記載のプラズマディスプレイ装置。
【請求項８】
前記第１のセルにおいて蓄積される電荷の量に比較して、前記第２のセルにおいて蓄積される電荷の量を抑制する誘電体の層をさらに備える
ことを特徴とする請求項６に記載のプラズマディスプレイ装置。
【請求項９】
前記第１のセルおよび前記第２のセルは、発光する場合、赤色、緑色、または青色のいずれかである同じ色の光を射出する
ことを特徴とする請求項６に記載のプラズマディスプレイ装置。
【請求項１０】
前記第１のセルを発光させた場合の輝度と、前記第１のセルおよび前記第２のセルを発光させた場合の輝度との比は、１：２である
ことを特徴とする請求項６に記載のプラズマディスプレイ装置。
【請求項１１】
各サブフィールドの発光させるか発光させないかを選択する期間において、前記電圧印加手段による、前記電極への前記第１の電圧、前記第２の電圧、または前記第３の電圧の印加を制御する制御手段をさらに備える
ことを特徴とする請求項６に記載のプラズマディスプレイ装置。
【請求項１２】
第１のセルと、前記第１のセルに隣接するように設けられている第２のセルと、サブフィールドのうちの発光させるか発光させないかを選択する期間において、第１の電圧が印加された場合、そのサブフィールドにおいて前記第１のセルを発光させる量の電荷を前記第１のセルに蓄積させ、そのサブフィールドにおいて前記第２のセルを発光させない量の電荷を前記第２のセルに蓄積させ、第２の電圧が印加された場合、そのサブフィールドにおいて前記第１のセルおよび前記第２のセルを発光させる量の電荷を前記第１のセルおよび前記第２のセルに蓄積させる電極とを備えるプラズマディスプレイ装置の駆動方法において、
発光させるか発光させないかを選択する前記期間において、前記電極に、前記第１の電圧、前記第２の電圧、または前記第１のセルおよび前記第２のセルを発光させないための第３の電圧を印加する印加ステップを含む
ことを特徴とする駆動方法。
【発明の詳細な説明】
【技術分野】
【０００１】
本発明は、プラズマディスプレイパネル、プラズマディスプレイ装置、およびプラズマディスプレイ装置の駆動方法に関し、特に、画質を向上させるのに適したプラズマディスプレイパネル、プラズマディスプレイ装置、およびプラズマディスプレイ装置の駆動方法に関する。
【背景技術】
【０００２】
近年、フラットパネルディスプレイの開発が進んでいる。フラットパネルディスプレイとして、例えば、プラズマディスプレイパネル（以下、PDPと称する）を備えた表示装置であるプラズマディスプレイ装置（以下、PD装置と称する）がある。
【０００３】
PD装置は、CRT（Cathode-Ray Tube）やLCD（Liquid Crystal Display）を備えた表示装置のように、各発光セルの発光量をアナログ的に制御できず、発光セル（以下、単にセルとも称する）の発光（点灯）および非発光（非点灯）の２値による画像の表示しかできない。
【０００４】
このため、PD装置は、１つの１フィールド（１フレーム）を、表示する階調に応じた重み付けに対応する、それぞれ発光期間の異なる、複数のサブフィールド（以下、SFと称する）に分割し、それぞれの発光セルをSF毎に発光させるか発光させないかを制御することにより、表示する画像の階調を表現する。
【０００５】
PD装置においては、10bit（binary digit）の階調の画像を表示するためには、１フィールドを少なくとも10個のSFとする必要である。
【０００６】
１SFにおいては、発光セル内の不要な帯電を消去するリセット期間、発光させる発光セルを選択する走査期間（アドレス期間）、および発光セルを発光させる表示期間（維持放電期間）が必要である。
【０００７】
PD装置には、リセット期間、走査期間、および表示期間において、PDPに所定の電圧を印加するアドレスドライバ、走査ドライバ、および維持放電ドライバなどが設けられている。
【０００８】
また、フラットパネルディスプレイの開発が進む中で、PD装置の画質を向上させるための種々の技術が提案されている。
【０００９】
例えば、WXGA（Wide XGA（eXtended Graphics Array））方式のPD装置において、走査期間を短縮するために、PDPに設けられるアドレス電極を、PDPの上下に分割し、上下に分割されたアドレス電極のそれぞれに印加される電圧を、上と下のアドレスドライバで制御し、PDPを駆動する方式（以下、上下分割駆動方式と称する）が提案されている。
【００１０】
また、特許文献１には、１画素を構成する赤色、緑色、青色のセルのそれぞれを、複数のセルに分割して構成し、そのセルの数だけアドレス電極を設け、点灯させるセルの数を段階的に制御する技術が開示されている。
【００１１】
特許文献２には、１単位画素を、２個のＲサブピクセル、２個のＧサブピクセル、および２個のＢサブピクセルからなる６個のサブピクセルで構成し、その複数のサブピクセルのそれぞれを、対応する複数のアドレス電極のそれぞれと接続し、サブピクセルの点灯数を段階的に制御し、階調表示を行うことが開示されている。
【特許文献１】特開２０００−６６６３７号公報
【特許文献２】特開２００３−１３１６１５号公報
【発明の開示】
【発明が解決しようとする課題】
【００１２】
WXGA方式のPD装置において、上下分割駆動方式を用いる場合、10bitの階調の画像を表示させるとき、１SFにおけるリセット期間が約0.3msecであるとき、１フィールド（＝10SF）におけるリセット期間は約３msec（millisecond）（＝0.3msec×10）となる。
【００１３】
走査期間の１つのパルスの幅が0.002msec、PDPの画面の走査線の数が728本であるとき、上下分割駆動方式を用いているので、走査期間が半分に短縮され、１フィールド（＝10SF）の走査期間は約7.7msec（＝0.002msec×768/2×10）となる。
【００１４】
表示期間の１つのパルスの周期が１周期あたり0.004msecであり、10SFで1023階調表示を行う場合、表示期間は約4.1msec（＝0.004msec×1023（＝１＋２＋４＋・・・＋512））となる。
【００１５】
発光セルの輝度が０である黒輝度は、帯電している発光セルをリセットする回数にほぼ比例する。ここで、階調の数を増やし、PDPに12bitの階調の画像を表示させる場合、リセット期間、走査期間、および表示期間のそれぞれは、上述した数値の約1.2倍の時間となる。
【００１６】
したがって、階調の数を増やし、PDPに12bitの階調の画像を表示させる場合、リセット期間は約3.6msecとなり、走査期間は約9.2msecとなり、表示期間は約4.9msecとなる。リセット期間、走査期間、および表示期間の合計は、17.7msecとなる。
【００１７】
毎秒６０フィールドを表示するとすれば、１フィールドにあたり16.7msecなので、この場合、１フィールドの画像の表示にかかる時間は16.7msec以内にしなければならない。したがって、PDPに12bitの階調の画像を表示させることは不可能になってしまう。
【００１８】
また、10bitの階調の画像をフルハイビジョン（Full High-Definition television）の1080本の走査線でPDPに表示させる場合、走査期間は約10.8msec（＝0.002msec×1080/2×10）となる。リセット期間は約３msecであるため、表示期間にとれる時間は約2.9msec（＝16.7msec−（３msec＋10.8msec））となってしまう。したがって、表示期間に必要な約4.1msecの時間がとれなくなり、10bitの階調の画像をフルハイビジョンで表示することは不可能である。
【００１９】
以上のように、PD装置において上下分割駆動方式を用いるだけでは、画質を向上させるために、表示する画像の階調を増やすことは困難であるという課題があった。
【００２０】
特許文献１および特許文献２に記載の技術においては、各発光セル毎にアドレス電極を設ける必要があるため、同画素数のPD装置よりも、アドレス電極に電圧を印加するアドレスドライバの数が増え、コストが増大してしまうという課題があった。
【００２１】
さらに、特許文献２に記載の技術においては、同サブピクセル内に２本のアドレス電極を設けているため、導電体層を形成する場合、PDPの製作のプロセスが難しく、画素の高精細化が困難になるという課題があった。
【００２２】
本発明は、このような状況に鑑みてなされたものであり、容易に、低コストで、画質を向上させることができるようにするものである。
【課題を解決するための手段】
【００２３】
本発明のプラズマディスプレイパネルは、第１のセルと、第１のセルに隣接するように設けられている第２のセルと、サブフィールドのうちの発光させるか発光させないかを選択する期間において、第１の電圧が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧が印加された場合、そのサブフィールドにおいて第１のセルおよび第２のセルを発光させる量の電荷を第１のセルおよび第２のセルに蓄積させる電極とを含むことを特徴とする。
【００２４】
電極は、第１の電圧または第２の電圧が印加された場合、第１のセルを発光させる量の電荷を第１のセルに蓄積させる第１の電極と、第１の電極と一体に構成され、第１の電圧が印加された場合、第２のセルを発光させない量の電荷を第２のセルに蓄積させ、第２の電圧が印加された場合、第２のセルを発光させる量の電荷を第２のセルに蓄積させる第２の電極とからなるようにすることができる。
【００２５】
プラズマディスプレイパネルは、第１のセルにおいて蓄積される電荷の量に比較して、第２のセルにおいて蓄積される電荷の量を抑制する誘電体の層をさらに設けることができる。
【００２６】
プラズマディスプレイパネルは、第１のセルおよび第２のセルが、発光する場合、赤色、緑色、または青色のいずれかである同じ色の光を射出するようにすることができる。
【００２７】
プラズマディスプレイパネルは、第１のセルを発光させた場合の輝度と、第１のセルおよび第２のセルを発光させた場合の輝度との比は、１：２であるようにすることができる。
【００２８】
本発明のプラズマディスプレイ装置は、第１のセルと、第１のセルに隣接するように設けられている第２のセルと、サブフィールドのうちの発光させるか発光させないかを選択する期間において、第１の電圧が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧が印加された場合、そのサブフィールドにおいて第１のセルおよび第２のセルを発光させる量の電荷を第１のセルおよび第２のセルに蓄積させる電極と発光させるか発光させないかを選択する期間において、電極に、第１の電圧、第２の電圧、または第１のセルおよび第２のセルを発光させないための第３の電圧を印加する電圧印加手段とを含むことを特徴とする。
【００２９】
電極は、第１の電圧または第２の電圧が印加された場合、第１のセルを発光させる量の電荷を第１のセルに蓄積させる第１の電極と、第１の電極と一体に構成され、第１の電圧が印加された場合、第２のセルを発光させない量の電荷を第２のセルに蓄積させ、第２の電圧が印加された場合、第２のセルを発光させる量の電荷を第２のセルに蓄積させる第２の電極とからなるようにすることができる。
【００３０】
プラズマディスプレイ装置は、第１のセルにおいて蓄積される電荷の量に比較して、第２のセルにおいて蓄積される電荷の量を抑制する誘電体の層をさらに設けることができる。
【００３１】
プラズマディスプレイ装置は、第１のセルおよび第２のセルが、発光する場合、赤色、緑色、または青色のいずれかである同じ色の光を射出するようにすることができる。
【００３２】
プラズマディスプレイ装置は、第１のセルを発光させた場合の輝度と、第１のセルおよび第２のセルを発光させた場合の輝度との比は、１：２であるようにすることができる。
【００３３】
プラズマディスプレイ装置は、各サブフィールドの発光させるか発光させないかを選択する期間において、電圧印加手段による、電極への第１の電圧、第２の電圧、または第３の電圧の印加を制御する制御手段をさらに設けることができる。
【００３４】
本発明のプラズマディスプレイ装置の駆動方法は、第１のセルと、第１のセルに隣接するように設けられている第２のセルと、サブフィールドのうちの発光させるか発光させないかを選択する期間において、第１の電圧が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧が印加された場合、そのサブフィールドにおいて第１のセルおよび第２のセルを発光させる量の電荷を第１のセルおよび第２のセルに蓄積させる電極とを備えるプラズマディスプレイ装置の駆動方法であって、発光させるか発光させないかを選択する期間において、電極に、第１の電圧、第２の電圧、または第１のセルおよび第２のセルを発光させないための第３の電圧を印加する印加ステップを含むことを特徴とする。
【００３５】
本発明のプラズマディスプレイパネルにおいては、第１のセルと、第１のセルに隣接するように設けられている第２のセルとが設けられ、電極によって、サブフィールドのうちの発光させるか発光させないかが選択される期間において、第１の電圧が印加された場合、そのサブフィールドにおいて第１のセルを発光させる量の電荷が第１のセルに蓄積され、そのサブフィールドにおいて第２のセルを発光させない量の電荷が第２のセルに蓄積され、第２の電圧が印加された場合、そのサブフィールドにおいて第１のセルおよび第２のセルを発光させる量の電荷が第１のセルおよび第２のセルに蓄積される。
【００３６】
本発明のプラズマディスプレイ装置においては、第１のセルと、第１のセルに隣接するように設けられている第２のセルとが設けられ、電極によって、サブフィールドのうちの発光させるか発光させないかが選択される期間において、第１の電圧が印加された場合、そのサブフィールドにおいて第１のセルを発光させる量の電荷が第１のセルに蓄積され、そのサブフィールドにおいて第２のセルを発光させない量の電荷が第２のセルに蓄積され、第２の電圧が印加された場合、そのサブフィールドにおいて第１のセルおよび第２のセルを発光させる量の電荷が第１のセルおよび第２のセルに蓄積される。また、発光させるか発光させないかを選択する期間において、電極に、第１の電圧、第２の電圧、または第１のセルおよび第２のセルを発光させないための第３の電圧が印加される。
【００３７】
本発明のプラズマディスプレイ装置の駆動方法においては、第１のセルと、第１のセルに隣接するように設けられている第２のセルと、サブフィールドのうちの発光させるか発光させないかが選択される期間において、第１の電圧が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧が印加された場合、そのサブフィールドにおいて第１のセルおよび第２のセルを発光させる量の電荷を第１のセルおよび第２のセルに蓄積させる電極とを備えるプラズマディスプレイ装置の駆動方法において、発光させるか発光させないかを選択する期間において、電極に、第１の電圧、第２の電圧、または第１のセルおよび第２のセルを発光させないための第３の電圧が印加される。
【発明の効果】
【００３８】
本発明によれば、画像を表示することができる。また、本発明によれば、容易に、低コストで、画質を向上させることができる。
【発明を実施するための最良の形態】
【００３９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００４１】
請求項１に記載のプラズマディスプレイパネル（例えば、図１のPDP１１）は、第１のセル（例えば、図２の発光セル１０１−１）と、第１のセルに隣接するように設けられている第２のセル（例えば、図２の発光セル１０１−２）と、サブフィールドのうちの発光させるか発光させないかを選択する期間（例えば、図４の“走査期間”）において、第１の電圧（例えば、図４の駆動電圧Ｐa1）が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧（例えば、図４の駆動電圧Ｐa2）が印加された場合、そのサブフィールドにおいて第１のセルおよび第２のセルを発光させる量の電荷を第１のセルおよび第２のセルに蓄積させる電極（例えば、図２のアドレス電極４１−Ｎ）とを含むことを特徴とする。
【００４２】
請求項２に記載のプラズマディスプレイパネルは、電極が、第１の電圧または第２の電圧が印加された場合、第１のセルを発光させる量の電荷を第１のセルに蓄積させる第１の電極（例えば、図２の電極４１−Ｎａ）と、第１の電極と一体に構成され、第１の電圧が印加された場合、第２のセルを発光させない量の電荷を第２のセルに蓄積させ、第２の電圧が印加された場合、第２のセルを発光させる量の電荷を第２のセルに蓄積させる第２の電極（例えば、図２の電極４１−Ｎｂ）とからなるようにすることができる。
【００４３】
請求項３に記載のプラズマディスプレイパネルは、第１のセルにおいて蓄積される電荷の量に比較して、第２のセルにおいて蓄積される電荷の量を抑制する誘電体の層（例えば、図１１の背面基板誘電体層３３４の凸部３３４ａ）をさらに備えるようにすることができる。
【００４４】
請求項６に記載のプラズマディスプレイ装置（例えば、図１のPD装置１）は、第１のセル（例えば、図２の発光セル１０１−１）と、第１のセルに隣接するように設けられている第２のセル（例えば、図２の発光セル１０１−２）と、サブフィールドのうちの発光させるか発光させないかを選択する期間（例えば、図４の“走査期間”）において、第１の電圧（例えば、図４の駆動電圧Ｐa1）が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧（例えば、図４の駆動電圧Ｐa2）が印加された場合、そのサブフィールドにおいて第１のセルおよび第２のセルを発光させる量の電荷を第１のセルおよび第２のセルに蓄積させる電極（例えば、図２のアドレス電極４１−Ｎ）と、発光させるか発光させないかを選択する期間において、電極に、第１の電圧、第２の電圧、または第１のセルおよび第２のセルを発光させないための第３の電圧を印加する電圧印加手段（例えば、図１のアドレスドライバ５５−１および５５−２）とを含むことを特徴とする。
【００４５】
請求項１１に記載のプラズマディスプレイ装置は、各サブフィールドの発光させるか発光させないかを選択する期間において、電圧印加手段による、電極への第１の電圧、第２の電圧、または第３の電圧の印加を制御する制御手段（例えば、図１のデータ処理回路５３）をさらに設けることができる。
【００４６】
請求項１２に記載の駆動方法は、第１のセル（例えば、図２の発光セル１０１−１）と、第１のセルに隣接するように設けられている第２のセル（例えば、図２の発光セル１０１−２）と、サブフィールドのうちの発光させるか発光させないかを選択する期間（例えば、図４の“走査期間”）において、第１の電圧（例えば、図４の駆動電圧Ｐa1）が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧（例えば、図４の駆動電圧Ｐa2）が印加された場合、そのサブフィールドにおいて第１のセルおよび第２のセルを発光させる量の電荷を第１のセルおよび第２のセルに蓄積させる電極（例えば、図２のアドレス電極４１−Ｎ）とを備えるプラズマディスプレイ装置（例えば、図１のPD装置１）の駆動方法において、発光させるか発光させないかを選択する期間において、電極に、第１の電圧、第２の電圧、または第１のセルおよび第２のセルを発光させないための第３の電圧を印加する印加ステップ（例えば、図７のステップＳ４の処理）を含むことを特徴とする。
【００４７】
以下に、本発明の実施の形態について図面を参照して説明する。
【００４８】
図１は、本発明の一実施の形態に係るPD装置１の構成の例を示すブロック図である。PD装置１は、PDP１１およびPDP１１に画像を表示させる駆動ユニット１２から構成されている。PD装置１には、上下分割駆動方式が用いられる。
【００４９】
PDP１１は、プラズマ放電により発光する、マトリクス形式のカラー表示デバイスである。PDP１１には、画像が表示される領域（画面）である表示領域２１が設けられている。PDP１１の表示領域２１には、縦横に並ぶように、小さな蛍光放電管である発光セルが配置されている。発光セルは、それぞれ発光する。発光セルは、赤、緑、青のいずれかの色の光を放射（射出）する。
【００５０】
複数の発光セルの発光および非発光が制御されることで、表示領域２１に画像が表示される。
【００５１】
表示領域２１には、表示領域２１の画素のうちの、１画素を構成する複数の発光セルからなる所定の数の画素部３１が設けられている。すなわち、画素部３１は、PDP１１がWXGA方式である場合、1280×768画素（ピクセル）のうちの、１つの画素（ピクセル）を表している。
【００５２】
表示領域２１の図１の上半分の列方向には、アドレス電極４１−１乃至４１−ｎが配置され、下半分の列方向には、アドレス電極４１−（ｎ＋１）乃至４１−２ｎが配置されている。
【００５３】
表示領域２１の図１の行方向には、アドレス電極４１−１乃至４１−ｎと交差するように、走査・維持放電電極４２−１乃至４２−ｍ（図示なし）が配置されている。また、表示領域２１の図１の行方向には、アドレス電極４１−（ｎ＋１）乃至４１−２ｎと交差するように、走査・維持放電電極４２−（ｍ＋１）（図示なし）乃至４２−２ｍが配置されている。
【００５４】
アドレス電極４１−１乃至４１−２ｎのそれぞれには、走査期間において、所定の電圧が印加される。アドレス電極４１−１乃至４１−２ｎのそれぞれは、図中の縦一列に並ぶ発光セルに電圧を印加することにより、発光させる発光セルを選択するための電極である。
【００５５】
また、走査・維持放電電極４２−１乃至４２−２ｍのそれぞれは、走査期間において、所定の電圧が印加される。走査・維持放電電極４２−１乃至４２−２ｍのそれぞれは、図中の横一列に並ぶ発光セルに電圧を印加することにより、発光させる発光セルを選択するための電極である。
【００５６】
さらに、表示領域２１の図１の行方向には、維持放電電極４３―１乃至４３−２ｍが設けられている。維持放電電極４３−１乃至４３−２ｍのそれぞれは、対応する走査・維持放電電極４２−１乃至４２−２ｍのそれぞれと、対をなすように表示領域２１に配置され、図中の横一列に並ぶ発光セルに電圧を印加する。
【００５７】
維持放電電極４３−１乃至４３−２ｍのそれぞれ、および走査・維持放電電極４２−１乃至４２−２ｍのそれぞれは、表示期間の際、走査期間において選択された発光セルにおいて、所定の放電を起こさせ、発光させるための電圧が印加される電極である。
【００５８】
以下、アドレス電極４１−１乃至４１−２ｎを個々に区別する必要のないとき、単に、アドレス電極４１と称する。同様に、走査・維持放電電極４２−１乃至４２−２ｍを個々に区別する必要のないとき、単に、走査・維持放電電極４２と称する。また、維持放電電極４３−１乃至４３−２ｍを個々に区別する必要のないとき、単に、維持放電電極４３と称する。
【００５９】
画素部３１には、アドレス電極４１−Ｎ乃至４１−（Ｎ＋２）が配置されている。また、画素部３１には、一対の走査・維持放電電極４２−Ｍおよび維持放電電極４３−Ｍが配置されている。すなわち、表示領域２１の各画素には、３個のアドレス電極４１が配置され、一対の走査・維持放電電極４２および維持放電電極４３が配置されている。
【００６０】
ここで、アドレス電極４１−Ｎ乃至４１−（Ｎ＋２）は、アドレス電極４１−１乃至４１−２ｎのうちの、１つの画素に配置される、３つの連続したアドレス電極４１である。走査・維持放電電極４２−Ｍは、走査・維持放電電極４２−１乃至４２−２ｍのうちの、１つの走査・維持放電電極４２である。維持放電電極４３−Ｍは、維持放電電極４３−１乃至４３−２ｍのうちの、走査・維持放電電極４２と対をなす維持放電電極４３である。
【００６１】
駆動ユニット１２には、TV（TeleVision）チューナやコンピュータなどの外部装置から、画素単位の赤、緑、青の各色の輝度（階調）を示す画素単位の画像信号が供給される。画像信号には各種の同期信号が含まれているか、各種の同期信号が、画像信号とは別に、駆動ユニット１２に供給される。また、駆動ユニット１２は、供給された画像信号や同期信号を基に、PDP１１の表示領域２１の、画素を構成する縦横に並んだ発光セルを選択し、発光させる。
【００６２】
駆動ユニット１２は、コントローラ５１、フレームメモリ５２、データ処理回路５３、SFメモリ５４、アドレスドライバ５５−１、アドレスドライバ５５−２、走査ドライバ５６−１、走査ドライバ５６−２、Ｘ維持放電ドライバ５７、Ｙ維持放電ドライバ５８、および電源回路５９により構成されている。
【００６３】
コントローラ５１は、汎用のCPU（Central Processing Unit）やDSP（Digital Signal Processor）などにより構成され、供給された種々の同期信号などを基に、フレームメモリ５２、データ処理回路５３、SFメモリ５４、アドレスドライバ５５−１、アドレスドライバ５５−２、走査ドライバ５６−１、走査ドライバ５６−２、Ｘ維持放電ドライバ５７、およびＹ維持放電ドライバ５８のそれぞれを制御する。
【００６４】
フレームメモリ５２は、コントローラ５１の制御の基に、１フィールドを単位として供給された画像信号を記憶する。また、フレームメモリ５２に記憶された画像信号は、コントローラ５１の制御の基に、データ処理回路５３に供給される。
【００６５】
データ処理回路５３は、コントローラ５１の制御の基に、１フィールドを単位として、供給された画像信号に対応する１フィールドの画像の画素の画素値から、画像を階調表示するために、所定の数のSFのそれぞれにおいて、それぞれの発光セルを発光させるか発光させないかを決めるSFデータを生成する。データ処理回路５３は、コントローラ５１の制御の基に、SFに対応するSFデータをSFメモリ５４に供給する。
【００６６】
SFメモリ５４は、コントローラ５１の制御の基に、供給されたSFデータを記憶し、記憶したSFデータをアドレスドライバ５５−１およびアドレスドライバ５５−２に供給する。
【００６７】
アドレスドライバ５５−１は、走査期間において、コントローラ５１の制御の基に、供給されたSFデータに応じてアドレス電極４１−１乃至４１−ｎのそれぞれに所定の電圧を印加する。
【００６８】
アドレスドライバ５５−２は、走査期間において、コントローラ５１の制御の基に、供給されたSFデータに応じてアドレス電極４１−（ｎ＋１）乃至４１−２ｎのそれぞれに所定の電圧を印加する。
【００６９】
走査ドライバ５６−１は、コントローラ５１の制御の基に、走査期間において、走査・維持放電電極４２−１乃至４２−ｍのそれぞれに所定の電圧を印加する。
【００７０】
走査ドライバ５６−２は、コントローラ５１の制御の基、走査期間において、走査・維持放電電極４２−（ｍ＋１）乃至４２−２ｍのそれぞれに所定の電圧を印加する。
【００７１】
Ｘ維持放電ドライバ５７は、リセット期間および表示期間において、コントローラ５１の制御の基に、所定の電圧を維持放電電極４３−１乃至４３−２ｍに印加する。
【００７２】
走査ドライバ５６−１および走査ドライバ５６−２に接続されているＹ維持放電ドライバ５８は、表示期間において、コントローラ５１の制御の基に、走査ドライバ５６−１および走査ドライバ５６−２を介して、走査・維持放電電極４２−１乃至４２−２ｍのそれぞれに所定の電圧を印加する。
【００７３】
電源回路５９は、アドレスドライバ５５−１、アドレスドライバ５５−２、走査ドライバ５６−１、走査ドライバ５６−２、Ｘ維持放電ドライバ５７、およびＹ維持放電ドライバ５８のそれぞれに所定の電力を供給する。
【００７４】
次に、図２および図３を参照して、PDP１１の画素部３１の構成を説明する。ここで、図２は、表示面側から見た、PDP１１の画素部３１の構成の例を示す透過図である。図２の縦方向は、PDP１１の表示面の画素が縦に並ぶ方向を示し、図２の横方向は、PDP１１の表示面の画素が横に並ぶ方向を示す。図３は、図２のＡ―Ａ線における、画素部３１の縦断面図である。
【００７５】
図２で示されるように、画素部３１は、赤色に発光する発光セル１０１−１と発光セル１０１−２、緑色に発光する発光セル１０２−１と発光セル１０２−２、および青色に発光する発光セル１０３−１と発光セル１０３−２の６個の発光セルにより構成される。
【００７６】
発光セル１０１−１、発光セル１０１−２、発光セル１０２−１、発光セル１０２−２、発光セル１０３−１、および発光セル１０３−２のそれぞれは、順に、図２の横方向に、隣接するように配置されている。
【００７７】
画素部３１は、発光セル１０１−１、発光セル１０１−２、発光セル１０２−１、発光セル１０２−２、発光セル１０３−１、および発光セル１０３−２によって、表示面側から見て、正方形となるように構成されている。
【００７８】
なお、図２においては、発光セル１０１−１、発光セル１０１−２、発光セル１０２−１、発光セル１０２−２、発光セル１０３−１、および発光セル１０３−２のそれぞれは、明確にするために、説明のために少し離して図示されている。
【００７９】
図３で示されるように、PDP１１の表面のガラス基板である表面基板１３０の図中の下側に走査・維持放電電極４２−Ｍおよび維持放電電極４３−Ｍが形成されている。走査・維持放電電極４２−Ｍは、透明な電極である透明電極１１１−１乃至１１１−６およびバス電極１２１から構成されている。維持放電電極４３−Ｍは透明電極１１２−１乃至１１２−６およびバス電極１２２から構成されている。
【００８０】
透明電極１１１−１乃至１１１−６には、バス電極１２１が接続されている。透明電極１１２−１乃至１１２−６には、バス電極１２２が接続されている。
【００８１】
発光セル１０１−１の図２中の上側に透明電極１１１−１が配置され、図２中の下側に透明電極１１２−１が配置されている。発光セル１０１−２、発光セル１０２−１、発光セル１０２−２、発光セル１０３−１、および発光セル１０３−２のそれぞれも同様に、透明電極１１１−２乃至１１１−６のそれぞれ、および透明電極１１２−２乃至１１２−６のそれぞれが図２中の上側と下側とのそれぞれに分かれて配置されている。
【００８２】
透明電極１１１−１乃至１１１−６のそれぞれは、透明電極１１１−１乃至１１１−６のそれぞれに電圧が印加されることで、発光セル１０１−１、発光セル１０１−２、発光セル１０２−１、発光セル１０２−２、発光セル１０３−１、および発光セル１０３−２のそれぞれに所定の電荷を蓄積させるように配置されている。
【００８３】
同様に、透明電極１１２−１乃至１１２−６のそれぞれは、透明電極１１２−１乃至１１２−６のそれぞれに電圧が印加されることで、発光セル１０１−１、発光セル１０１−２、発光セル１０２−１、発光セル１０２−２、発光セル１０３−１、および発光セル１０３−２のそれぞれに所定の電荷を蓄積させるように配置されている。
【００８４】
表面基板１３０の図３中の下側には、透明電極１１１−１乃至１１１−６、バス電極１２１、透明電極１１２−１乃至１１２−６、およびバス電極１２２を覆うように、低融点ガラスである表面基板誘電体層１３１が形成されている。
【００８５】
表面基板誘電体層１３１の図３中の下側には、酸化マグネシウムである保護層１３２が形成されている。
【００８６】
PDP１１の背面のガラス基板である背面基板１３３の図３中の上側には、アドレス電極４１−Ｎ乃至４１−（Ｎ＋２）が形成され、そのアドレス電極４１−Ｎ乃至４１−（Ｎ＋２）は、低融点ガラスである背面基板誘電体層１３４で覆われている。また、PDP１１には、保護層１３２と背面基板誘電体層１３４とに挟まれ、放電空間１３５を保ち、且つ赤、緑、青の各色の蛍光体（図３においては青色の蛍光体１３６）の混色を防ぐ隔壁１３７が形成されている。
【００８７】
放電空間１３５には、水銀ガスやキセノンガスなどの放電ガスが封入されている。
【００８８】
放電空間１３５における、赤、緑、青の各色の蛍光体は、隔壁１３７の壁面に塗布されている。
【００８９】
図２で示されるように、アドレス電極４１−Ｎは、電極４１−Ｎａおよび電極４１−Ｎｂにより形成される。電極４１−Ｎａは、発光セル１０１−１において図２の縦方向に線状に形成され、配置されている。
【００９０】
アドレス電極４１−Ｎａは、所定の電圧が印加されることにより、発光セル１０１−１に所定の電荷を蓄積させる。
【００９１】
電極４１−Ｎｂは、電極４１−Ｎａの（発光セル１０１−１の）中央から、電極４１−Ｎａと同じ厚み（図示なし）で、図２の横方向に発光セル１０１−２に突き出るように形成され、配置されている。電極４１−Ｎｂの図２の縦方向の幅は、電極４１−Ｎａの図２の横方向の幅と同じである。例えば、発光セル１０１−１および発光セル１０１−２において、アドレス電極４１−Ｎは、表示面側から見て、Ｔ字を反時計方向に９０度まわした形状とされている。
【００９２】
図２で示されるように、発光セル１０１−２には、電極４１−Ｎaの面積に比較して、小さな面積の電極４１−Ｎｂが配置される。
【００９３】
アドレス電極４１−Ｎｂは、所定の電圧が印加されることにより、発光セル１０１−２に所定の電荷を蓄積させる。
【００９４】
アドレス電極４１−（Ｎ＋１）は、電極４１−（Ｎ＋１）ａおよび電極４１−（Ｎ＋１）ｂにより形成される。
【００９５】
ここで、発光セル１０２−１および発光セル１０２−２のそれぞれにおける電極４１−（Ｎ＋１）ａおよび電極４１−（Ｎ＋１）bのそれぞれは、上述した発光セル１０１−１および発光セル１０１−２のそれぞれにおける電極４１−Ｎａおよび電極４１−Ｎbのそれぞれと同様の構成をしているため、その説明は省略する。
【００９６】
アドレス電極４１−（Ｎ＋２）は、電極４１−（Ｎ＋２）ａおよび電極４１−（Ｎ＋２）ｂにより形成される。
【００９７】
ここで、発光セル１０３−１および発光セル１０３−２のそれぞれにおける電極４１−（Ｎ＋２）ａおよび電極４１−（Ｎ＋２）bのそれぞれは、上述した発光セル１０１−１および発光セル１０１−２のそれぞれにおける電極４１−Ｎａおよび電極４１−Ｎbのそれぞれと同様の構成をしているため、その説明は省略する。
【００９８】
図４のタイミングチャートを参照して、維持放電電極４３、走査・維持放電電極４２−１乃至４２―m、およびアドレス電極４１に印加される電圧の関係を説明する。
【００９９】
図４で示される、“維持放電電極４３の駆動電圧波形”は、維持放電電極４３に印加される電圧の波形を示している。“走査・維持放電電極４２−１の駆動電圧波形”および“走査・維持放電電極４２−ｍの駆動電圧波形”のそれぞれは、走査・維持放電電極４２−１乃至４２−ｍに印加される電圧のうちの、走査・維持放電電極４２−１および走査・維持放電電極４２−ｍに印加される電圧の波形を示している。“第１のアドレス電極４１の駆動電圧波形”は、アドレス電極４１に印加される高い電圧の波形および低い電圧の波形のうち、低い電圧の波形を示している。“第２のアドレス電極４１の駆動電圧波形”は、アドレス電極４１に印加される高い電圧の波形および低い電圧の波形のうち、高い電圧の波形を示している。
【０１００】
以下、発光セル１０１−１、発光セル１０１−２、発光セル１０２−１、発光セル１０２−２、発光セル１０３−１、および発光セル１０３−２を個々に区別する必要のないとき、単に、発光セル１０１と称する。
【０１０１】
図４で示されるように、１つのSFは、リセット期間、走査期間（アドレス期間）、および表示期間（維持放電期間）からなる。
【０１０２】
リセット期間は、PDP１１の全ての発光セル１０１をリセットして不要な帯電を除去するための期間である。走査期間は、SFデータで特定される、発光させる発光セル１０１を選択する期間である。表示期間は、走査期間で選択された発光セル１０１を発光させる期間である。
【０１０３】
リセット期間において、Ｘ維持放電ドライバ５７は、維持放電電極４３−１乃至４３−ｍに対して駆動電圧ＰX1を印加する。駆動電圧ＰX1は、リセット期間の開始の時点において所定の正電圧であるＶ1ボルトとされ、リセット期間の開始時点から所定の期間が経過した時刻t2において、０ボルトとされる。駆動電圧ＰX1は、時刻t2からさらに所定の期間が経過した時刻t4において、リセット期間の開始時点と同じＶ1ボルトとされる。
【０１０４】
リセット期間において、Ｙ維持放電ドライバ５８は、走査・維持放電電極４２−１乃至４２−ｍに対して駆動電圧ＰY1を印加する。駆動電圧ＰY1は、リセット期間の開始の時点においてＶ2ボルトとされ、リセット期間の開始点から所定の期間が経過した時刻ｔ1まで、時間に比例して下げられ、時刻ｔ1において、０ボルトとされる。駆動電圧ＰY1は、時刻ｔ1から時刻ｔ2まで０ボルトとされ、時刻ｔ2において、Ｖ2ボルトとされる。駆動電圧ＰY1は、時刻ｔ2から所定の期間が経過した時刻ｔ3まで、時間に比例して上げられ、時刻ｔ3においてＶ3ボルトとされる。駆動電圧ＰY1は、時刻ｔ3から所定の期間が経過した時刻ｔ4にまでＶ3ボルトとされる。駆動電圧ＰY1は、時刻ｔ4において、Ｖ2ボルトとされ、時刻ｔ4から所定の期間が経過した時刻ｔ5まで、時間に比例して下げられ、時刻ｔ5において０ボルトとされる。駆動電圧ＰY1は、時刻ｔ5から所定の期間が経過した時刻ｔ6まで、０ボルトとされ、時刻ｔ6において、Ｖ2ボルトより低い電圧であるＶ4ボルトとされる。
【０１０５】
リセット期間において、アドレス電極４１−１乃至４１−ｎはグランド（GND）レベル、すなわち、アドレス電極４１−１乃至４１−ｎに印加される電圧は０ボルトとされる。
【０１０６】
以上のように、それまでのPDP１１における画像の表示状態にかかわらず、各発光セル１０１において、走査・維持放電電極４２と維持放電電極４３とに低い電圧を印加し、発光セル１０１内に弱い放電を発生させ、発光セル１０１内の壁電荷を消去し、全ての発光セル１０１が壁電荷のない均一な電位状態とされる。
【０１０７】
これにより、リセット期間の次の走査期間における放電を安定して行うことができる。
【０１０８】
走査期間において、維持放電電極４３に印加される電圧は、Ｖ1ボルトに維持される。
【０１０９】
走査期間において、走査・維持放電電極４２−１乃至４２−ｍのそれぞれに駆動電圧ＰY2が印加される。例えば、走査・維持放電電極４２−１には、Ｖ4ボルトの駆動電圧ＰY2が印加される。走査・維持放電電極４２−１に印加された駆動電圧ＰY2は、走査期間の開始の時点から所定の期間が経過した時刻ｔ7において、０ボルトとされる。
【０１１０】
駆動電圧ＰY2は、時刻ｔ7から所定の期間、例えば、0.002msec経過した時刻t8においてＶ4ボルトとされ、走査期間の間、走査・維持放電電極４２−１に印加される電圧は、Ｖ4ボルトとされる。
【０１１１】
走査・維持放電電極４２−２乃至４２−ｍのそれぞれに印加される駆動電圧ＰY2は、走査・維持放電電極４２−１に印加された駆動電圧ＰY2と同様に、順に、時刻ｔ7から所定の期間が経過した時刻ｔ9までの間に、所定の期間、例えば、0.002msecだけ０ボルトとされ、他の走査期間においては、駆動電圧ＰY2は、Ｖ4ボルトとされる。
【０１１２】
走査維持放電電極４２−１における時刻ｔ7において、発光させる発光セル１０１に対応するアドレス電極４１には、例えば、Ｖ5ボルトである駆動電圧Ｐa1が印加される。
【０１１３】
すなわち、走査期間において、発光させる発光セル１０１に対応する走査維持放電電極４２において０ボルトとされる期間に、発光させる発光セル１０１に対応するアドレス電極４１にＶ5ボルトの電圧が印加され、次の表示期間で、発光させる発光セル１０１が選択される。
【０１１４】
Ｖ5ボルトより高い電圧であるＶ6ボルトの駆動電圧Ｐa2も、駆動電圧Ｐa1と同様に、走査期間において、発光させる発光セル１０１に対応するアドレス電極４１に印加される。
【０１１５】
以上のようにして、走査期間においては、アドレス電極４１−１乃至４１―ｎに印加される駆動電圧Ｐa1または駆動電圧Ｐa2と、走査・維持放電電極４２−１乃至４２ー２ｍに印加される駆動電圧ＰY2との組合せにより、発光セル１０１の選択および非選択が行われる。
【０１１６】
すなわち、発光させる発光セル１０１における、走査・維持放電電極４２とアドレス電極４１との間で放電が起こり、これを種火として、その発光セル１０１における維持放電電極４３と走査・維持放電電極４２との間で壁電荷を蓄積するための放電が起こり、壁電荷が蓄積される。
【０１１７】
これにより、発光させる発光セル１０１に対応する維持放電電極４３と走査・維持放電電極４２を覆う表面基板誘電体層１３１（保護層１３２）上に次の表示期間において、所定の放電の維持の可能な量の壁電荷が蓄積される。
【０１１８】
表示期間において、Ｘ維持放電ドライバ５７は、維持放電電極４３−１乃至４３−ｍに矩形波の駆動電圧ＰX2を印加し、その駆動電圧ＰX2と交互にＹ維持放電ドライバ５８は、走査・維持放電電極４２−１乃至４２−ｍに矩形波の駆動電圧ＰY3を印加する。
【０１１９】
すなわち、表示期間の開始点において、維持放電電極４３に駆動電圧ＰX2が印加され、その駆動電圧ＰX2は、表示期間の開始点において、Ｖ1ボルトとされ、表示期間の開始点から所定の期間が経過した時刻ｔ10において、０ボルトとされる。その後、駆動電圧ＰX2は、時刻ｔ10から所定の期間が経過した時刻ｔ11まで０ボルトとされ、時刻ｔ11においてＶ1ボルトとされる。
【０１２０】
表示期間の開始点において、走査・維持放電電極４２−１乃至４２−ｍに印加される駆動電圧ＰY3は、Ｖ2ボルトとされ、時刻ｔ11において０ボルトとされる。その後、駆動電圧ＰY3は、時刻ｔ11から所定の期間が経過した時刻ｔ12まで０ボルトとされ、時刻ｔ12において、Ｖ2ボルトとされる。
【０１２１】
すなわち、表示期間において、駆動電圧ＰX2と駆動電圧ＰY3のそれぞれは、交互に（駆動電圧ＰX2（または駆動電圧ＰY3）の１周期毎に）、維持放電電極４３−１乃至４３−ｍおよび走査・維持放電電極４２−１乃至４２−ｍのそれぞれに繰り返し印加され続ける。
【０１２２】
これにより、走査期間において選択された（壁電荷が蓄積された）発光セル１０１では、交互に繰り返し印加される駆動電圧ＰX2と駆動電圧ＰY3とによって、放電が維持され、各色の発光セル１０１が発光する。
【０１２３】
１つのサブフィールドにおいて表示される画像の人によって視覚される輝度は、表示期間の長さによって、決定される。
【０１２４】
なお、図示はしないが、維持放電電極４３（維持放電電極４３−（ｍ＋１）乃至４３−２ｍ）、走査・維持放電電極４２−（ｍ＋１）乃至４２−２ｍ、およびアドレス電極４１（アドレス電極４１−（ｎ＋１）乃至４１−２ｎ）においても、図４と同様に、リセット期間、走査期間、および表示期間において、所定の駆動電圧が印加され、発光セル１０１が発光される。
【０１２５】
以上のようにして、SFにおいて、発光セル１０１が発光され、PDP１１は、画像を表示することができる。
【０１２６】
以下に、走査期間において、駆動電圧Ｐa1または駆動電圧Ｐa2が印加された場合の、アドレス電極４１を説明する。
【０１２７】
図２で示されるアドレス電極４１−Ｎである電極４１−Ｎａに、駆動電圧Ｐa1が印加されることにより、駆動電圧Ｐa1と走査・維持放電電極４２−Ｍに印加される駆動電圧ＰY2とにより、発光セル１０１−１内に放電が起こり、発光セル１０１−１には、表示期間において発光セル１０１−１を発光させるのに必要な量の電荷が蓄積される。
【０１２８】
駆動電圧Ｐa1が電極４１−Ｎａに印加された場合、電極４１−Ｎａと一体に形成されている電極４１−Ｎｂにも所定の電圧が印加される。
【０１２９】
このとき、電極４１−Ｎbに印加された電圧と走査・維持放電電極４２−Ｍに印加される駆動電圧ＰY2とにより、発光セル１０１−２内に放電が起こり、発光セル１０１−２には、表示期間において発光セル１０１−２を発光させない量の電荷が蓄積される。
【０１３０】
これは、上述したように発光セル１０１−２における電極４１−Ｎbの面積が小さいため、電極４１−Ｎａに印加された低い電圧である駆動電圧Ｐa1では、発光セル１０１−２に、表示期間において発光セル１０１−２を発光させる量の電荷を蓄積させることができないためである。
【０１３１】
すなわち、駆動電圧Ｐa1は、電極４１−Ｎｂが、発光セル１０１−２に、表示期間において発光セル１０１−２を発光させるのに必要な量の電荷を蓄積させることができない、大きさ（強さ）の電圧である。
【０１３２】
したがって、走査期間において、駆動電圧Ｐa1がアドレス電極４１−Ｎに印加された場合、発光セル１０１−２は、発光させる発光セルとして選択されないことになる。すなわち、発光セル１０１−２は、表示期間において発光しない。
【０１３３】
このように、駆動電圧Ｐa1がアドレス電極４１−Ｎに印加される場合、発光セル１０１−１のみが発光し、発光セル１０１−２は発光しない。
【０１３４】
走査期間において、駆動電圧Ｐa1より高い電圧である駆動電圧Ｐa2が電極４１−Ｎａに印加された場合、駆動電圧Ｐa1と走査・維持放電電極４２−Ｍに印加される駆動電圧ＰY2とにより、発光セル１０１−１内に放電が起こり、発光セル１０１−１には、表示期間において発光セル１０１−１を発光させるのに必要な量の電荷が蓄積される。
【０１３５】
駆動電圧Ｐa2が電極４１−Ｎａに印加された場合、電極４１−Ｎａと一体に形成されている電極４１−Ｎｂにも電圧が印加される。
【０１３６】
このとき、電極４１−Ｎbに印加された電圧によって、駆動電圧Ｐa1と走査・維持放電電極４２−Ｍに印加される駆動電圧ＰY2とにより、発光セル１０１−２内に放電が起こり、発光セル１０１−２には、表示期間において発光セル１０１−２を発光させるのに必要な量の電荷が蓄積される。
【０１３７】
換言すれば、駆動電圧Ｐa2は、発光セル１０１−２において電圧が印加される面積の小さい電極４１−Ｎｂが、発光セル１０１−２に、表示期間において発光セル１０１−２を発光させるのに必要な量の電荷を蓄積させることが可能な、大きさ（強さ）の電圧である。
【０１３８】
走査期間において、駆動電圧Ｐa2がアドレス電極４１−Ｎに印加された場合、発光セル１０１−２は、表示期間において発光させる発光セルとして選択されたことになる。すなわち、発光セル１０１−２は、表示期間において発光する。
【０１３９】
駆動電圧Ｐa2がアドレス電極４１−Ｎに印加される場合、発光セル１０１−１および発光セル１０１−２の両方が発光する。
【０１４０】
ここで、駆動電圧Ｐa1および駆動電圧Ｐa2によって電極４１−（Ｎ＋１）ａおよび電極４１−（Ｎ＋１）ｂに印加される電圧と、発光セル１０２−１および発光セル１０２−２の発光および非発光の関係は、駆動電圧Ｐa1および駆動電圧Ｐa2によって電極４１−Ｎａおよび電極４１−Ｎｂに印加される電圧と、発光セル１０１−１および発光セル１０１−２の発光および非発光の関係と同様であるので、その説明は省略する。
【０１４１】
また、駆動電圧Ｐa1および駆動電圧Ｐa2によって電極４１−（Ｎ＋２）ａおよび電極４１−（Ｎ＋２）ｂに印加される電圧と、発光セル１０３−１および発光セル１０３−２の発光および非発光の関係は、駆動電圧Ｐa1および駆動電圧Ｐa2によって電極４１−Ｎａおよび電極４１−Ｎｂに印加される電圧と、発光セル１０１−１および発光セル１０１−２の発光および非発光の関係と同様であるので、その説明は省略する。
【０１４２】
図５および図６を参照して、外部からPD装置１に供給された画像信号に対応する１フィールドの画像の階調と、実際にPDP１１に表示される１フィールドの画像の階調との関係を説明する。
【０１４３】
図５および図６における“サブフィールド”は、１フィールドを７つのSFに分割する場合における各SF、すなわち、第１番目のSF乃至第７番目のSF、および１フィールドを８つのSFに分割する場合における各SF、すなわち、第１番目のSF乃至第８番目のSFのそれぞれを示している。
【０１４４】
図５および図６における“選択されるセル”は、PDP１１に画像を表示する場合に、走査期間において選択される発光セル１０１を示している。また、各SFにおいて、画素部３１における、同色の２個の発光セル１０１のうち、同色の２個の発光セル１０１の両方を非発光とするのか、１個の発光セル１０１を発光させるのか、または同色の２個の発光セル１０１の両方を発光させるのかの選択、すなわち、同色２個の発光セル１０１において、発光させる発光セル１０１の数を示している。
【０１４５】
例えば、図５および図６における斜線が付された“第１のセル”は、赤色の発光セル１０１を発光させるとき、図２で示される発光セル１０１−１を発光させ、発光セル１０１−２は発光させないことを示す。
【０１４６】
また、図５および図６における斜線が付された“第１のセルと第２のセル”は、赤色の発光セル１０１を発光させるとき、図２で示される発光セル１０１−１と発光セル１０１−２との両方の発光セル１０１を発光させることを示す。
【０１４７】
図５および図６における斜線が付されていない“第１のセル”および“第１のセルと第２のセル”は、例えば、赤色に発光する発光セル１０１において、発光セル１０１−１と発光セル１０１−２との両方を発光させないことを示す。
【０１４８】
図５および図６における“輝度の重み付け”は、各SFの輝度の重み付け、すなわち、実際にPDP１１に表示される１つのSFの階調を示している。ここで、実際にPDP１１に表示される１つのSFの階調とは、図４で示される駆動電圧ＰX2（駆動電圧ＰY3）の数（表示期間における発光セルの発光回数）、すなわち、そのSFにおける表示期間の長さをいう。
【０１４９】
ここで、“輝度の重み付け”における“重み”とは、発光セル１０１が発光する時間と、単位時間の輝度との積である。人間の視覚には、光の強さと光る時間との積を明るさとして知覚する特性があるので、“重み”は、発光セル１０１−１および発光セル１０１−２を見ている人が知覚する明るさを示していると言える。
【０１５０】
“輝度の重み付け”において、同じSFでは、“第１のセル”の階調、すなわち、例えば、発光セル１０１−１のみを発光させた場合の輝度と、“第１のセルと第２のセル”の階調、すなわち、発光セル１０１−１および発光セル１０１−２の両方を発光させた場合の輝度との比は、１：２となる。
【０１５１】
また、“輝度の重み付け”において、“第１のセル”、すなわち、例えば、発光セル１０１−１のみを発光させる場合は、第１番目のSF乃至第８番目のSFになるに応じて、その階調（輝度）は“３”の累乗とされる。より正確には、“第１のセル”において第ｘ番目のSFの階調は、“３＾（ｘ−１）”となる。
【０１５２】
なお、その理由は後述するが、“第１のセル”において、第８番目のSFの階調は、第７SFの階調の３倍にはなっていない。例えば、第８番目のSFの階調は、“955”とされる。このとき、“第１のセル”における第ｘ番目のSFの階調は、“３＾（ｘ−１）−Ａ（ｘ＝１乃至７のときＡ＝０、ｘ＝８のときＡ＝１２３２）”とされる。
【０１５３】
さらにまた、“輝度の重み付け”において、“第１のセルと第２のセル”、すなわち、例えば、発光セル１０１−１および発光セル１０１−２の両方を発光させる場合の輝度は、第１のセルだけを発光させる場合の２倍とされる。すなわち、“第１のセルと第２のセル”において第ｘ番目のSFの階調は、“２・３＾（ｘ−１）”となる。
【０１５４】
なお、その理由は後述するが、“第１のセルと第２のセル”において、第８番目のSFの階調は、第７番目のSFの階調の３倍にはなっていない。第８番目のSFの階調は、“1910”となる。このとき、“第１のセルと第２のセル”において第ｘ番目のSFの階調は、“２・３＾（ｘ−１）−２・Ａ”となる。
【０１５５】
“１乃至4096階調”は、外部から供給される画像信号における、１フィールドの画像の階調（１つの画素の画素値）を示している。
【０１５６】
図５は、PD装置１に供給された画像信号における１フィールドの画像が１乃至2186階調である場合の、実際にPDP１１に表示される１フィールドの画像の階調を示す図である。
【０１５７】
PD装置１に供給された画像信号における１フィールドの画像が１乃至2186階調である場合、第１番目のSF乃至第７番目のSFを用いて、１フィールドの画像を表現することができる。
【０１５８】
以下に、図５の各SFにおける、“選択されるセル”の“第１のセル”または“第１のセルと第２のセル”の選択方法を説明する。
【０１５９】
まず、PD装置１に供給された画像信号における１フィールドの画像の階調が、３進数に変換される。
【０１６０】
３進数で表現される各値において、３進数の各桁の値が“０”のとき、対応するSFにおいて“選択されるセル”が無し（発光セル１０１を発光させない）とされ、３進数の各桁の値が“１”のとき、対応するSFにおいて“選択されるセル”が“第１のセル”とされ、３進数の各桁の値が“２”のとき、対応するSFにおいて“選択されるセル”が“第１のセルと第２のセル”とされる。
【０１６１】
例えば、PD装置１に供給された画像信号における１フィールドの画像が19階調である場合、10進数の“19”は３進数で“201”であり、下１桁が“１”なので、第１番目のSFにおいて“選択されるセル”が“第１のセル”とされ、下位から２桁目が“０”なので、第２番目のSFにおいて“選択されるセル”が無しとされ、下位から３桁目が“２”なので、第３番目のSFにおいて“選択されるセル”が“第１のセルと第２のセル”とされる。
【０１６２】
このとき、“輝度の重み付け”は、第１番目のSFにおいて１階調であり、第３番目のSFにおいて18階調なのでこれを加算した19階調となる。
【０１６３】
PD装置１に供給された画像信号における１フィールドの画像が１乃至2186階調である場合、第１番目のSF乃至第７番目のSFを用いて、１フィールドの画像を表現することができる。
【０１６４】
図６は、PD装置１に供給された画像信号に対応する１フィールドの画像が955乃至2186階調および2187乃至4096階調である場合の、実際にPDP１１に表示される１フィールドの画像の階調を示す図である。
【０１６５】
PD装置１に供給された画像信号における１フィールドの画像が955乃至2186階調である場合、第１番目のSF乃至第８番目のSFを用いて、１フィールドの画像を表現することができる。
【０１６６】
以下に、図６の各SFにおける、“選択されるセル”の“第１のセル”または“第１のセルと第２のセル”の選択方法を説明する。
【０１６７】
PD装置１に供給された画像信号における１フィールドの画像の階調を、“サブフィールド”の第８番目のSF乃至第１番目のSFにおいて、順に、“輝度の重み付け”における“第１のセルと第２のセル”の階調または“第１のセル”の階調で除算する。
【０１６８】
このとき、“第１のセルと第２のセル”の階調は“第１のセル”の階調より優先して、PD装置１に供給された画像信号における１フィールドの画像の階調を除算する。
【０１６９】
例えば、第８番目のSFの“第１のセルと第２のセル”の階調で除算することができた場合、その余りを第７番目のSFの“第１のセルと第２のセル”の階調または“第１のセル”の階調で除算する。
【０１７０】
このように、除算して算出された余りを、次のSFの“第１のセルと第２のセル”の階調または“第１のセル”の階調で除算し、除算することができた場合、その階調のセル、すなわち、“第１のセルと第２のセル”または“第１のセル”が選択される。
【０１７１】
例えば、PD装置１に供給された画像信号における１フィールドの画像が2186階調である場合、“2186”を第８番目のSFの“第１のセルと第２のセル”の階調である“1910”で除算し、その余りである“276”を第６番目のSFの“第１のセルと第２のセル”の階調である“243”で除算し、その余りである“33”を第４番目のSFの“第１のセルと第２のセル”の階調である“27”で除算し、その余りである“６”を第２番目のSFの“第１のセルと第２のセル”の階調である“６”で除算する。
【０１７２】
これにより、第２番目のSFでは“第１のセルと第２のセル”が選択され、第４番目のSFでは“第１のセル”が選択され、第６番目のSFでは“第１のセル”が選択され、第８番目のSFでは“第１のセルと第２のセル”が選択される。
【０１７３】
PD装置１に供給された画像信号における１フィールドの画像が2187乃至4096階調である場合、第１番目のSF乃至第８番目のSFを用いて、１フィールドの画像を表現することができる。
【０１７４】
各SFにおける、“選択されるセル”の“第１のセル”または“第１のセルと第２のセル”の選択方法は、上述した955乃至2186階調の場合と同様であるので、その説明は省略する。
【０１７５】
以上のように、本発明によれば、955乃至2186階調は、第１番目のSF乃至第７番目のSFで表現することもできるし、第１番目のSF乃至第８番目のSFで表現することもできる。
【０１７６】
なお、上述したように第８番目のSFの“第１のセルと第２のセル”の階調は、第７SFの“第１のセルと第２のセル”の階調の３倍にはなっていない。
【０１７７】
これは、例えば、PD装置１に供給された画像信号における１フィールドの画像が4096階調である場合、第１番目のSF乃至第７番目のSFで2186（２＋６＋18＋54＋162＋486＋1458）階調となってしまう。
【０１７８】
このとき、第８番目のSFにおいては1910(4096−2186）階調で十分であるため、第８案目のSFの階調は、第７番目のSFの階調の３倍である4374階調である必要がない。
【０１７９】
第８番目のSFの“第１のセル”の階調が、第７番目のSFの“第１のセル”の階調の３倍にはなっていない。
【０１８０】
これは、例えば、PD装置１に供給された画像信号における１フィールドの画像が2048階調である場合、第１番目のSF乃至第７番目のSFで1093（１＋３＋９＋27＋81＋243＋729）階調となってしまう。
【０１８１】
このとき、第８番目のSFにおいては955(2048−1093）階調で十分であるため、第８番目のSFの階調は、第７番目のSFの階調の３倍である2187階調である必要がない。
【０１８２】
また、図６の“第１のセル”における“輝度の重み付け”において、第１番目のSFを“１”、第２番目のSFを“３”、第３番目のSFを“９”、第４番目のSFを“27”、第５番目のSFを“81”、第６番目のSFを“230”、第７番目のSFを“703”、第８番目のSFを“994”とするようにしてもよい。 
【０１８３】
さらにまた、各SFにおいて、“輝度の重み付け”の発光回数を、任意に入れ替えても良い。
【０１８４】
次に、図７のフローチャートを参照して、アドレス電極４１への電圧の印加の処理を説明する。
【０１８５】
ステップＳ１において、コントローラ５１は、データ処理回路５３に１フィールドの画像における各画素の階調を抽出させる。すなわち、データ処理回路５３は、PD装置１に供給される画像信号に含まれる、１フィールドの画像の各画素の階調を抽出する。
【０１８６】
ステップＳ２において、コントローラ５１は、ステップＳ１の処理で抽出した階調を基に、各SFの各画素において、第１のセルおよび第２のセルの非発光、第１のセルの発光、または第１のセルおよび第２のセルの発光のいずれかを選択する。
【０１８７】
すなわち、図５および図６を参照して上述したセルの選択方法を用いて、第１のセルおよび第２のセルの非発光、第１のセルのみの発光（第２のセルは発光させない）、または第１のセルおよび第２のセルの両方の発光、例えば、図２で示される赤色の発光セル１０１−１および発光セル１０１−２の非発光、発光セル１０１−１のみの発光（発光セル１０１−２は発光させない）、または発光セル１０１−１および発光セル１０１−２の両方の発光のいずれかが選択される。
【０１８８】
ステップＳ３において、コントローラ５１は、ステップＳ２の処理で選択された、発光させるセルの数を基に、アドレス電極４１に印加される電圧の値を、０ボルト、図４で示されるＶ5ボルト、Ｖ6ボルトの３値から選択する。
【０１８９】
ステップＳ４において、コントローラ５１は、アドレスドライバ５５−１またはアドレスドライバ５５−２を制御し、アドレス電極４１に対して、ステップＳ３の処理で選択された電圧を印加させる。
【０１９０】
すなわち、ステップＳ３の処理において、０ボルトが選択された場合、第１のセルおよび第２のセルの非発光とされ、Ｖ5ボルトが選択された場合、第１のセルのみの発光とされ、Ｖ6ボルトが選択された場合、第１のセルおよび第２のセルの両方の発光とされる。
【０１９１】
以上のように、PD装置１においては、８つのSFで12bitの階調（＝4096階調）の画像を表示することが可能となる。
【０１９２】
１フィールドを８つのSFで表現する場合、リセット期間は約2.4msec（0.3msec×８）、走査期間は約6.1msec（0.002msec×768/２×８）、表示期間は8.2msec(＝0.004mssec×2048)とされる。
【０１９３】
表示期間の8.2msecにおける“2048”は、以下の理由による。従来のPDPでは１つの画素において、１つの発光セルで階調を表現するが、PDP１１では１つの画素において同色の２つの発光セルを用いて階調を表現する。これにより、PDP１１は、従来のPDPに対して、同じ発光回数で、２倍の階調を表現することができる。したがって、12bit表示では、2048（１＋３＋９＋27＋81＋243＋729＋955）回の発光で、4096＋１階調を表現することができる。
【０１９４】
また、従来の10bitの階調の画像を表示するPD装置（以下、従来のPD装置と称する）に対して、PD装置１の黒輝度は0.8倍となり、表示輝度は1.4倍となる。
【０１９５】
ここで、黒輝度における0.8倍とは、従来のPDPの１つの画素における１つの発光セルを２個に分けたことで、例えば、図２で示される、透明電極１１１−１と透明電極１１２−１との間に生じる黒輝度、および透明電極１１１−２と透明電極１１２−２との間に生じる黒輝度が、従来のPDPにおける１つの発光セルにおける黒輝度の0.8倍となることを示している。
【０１９６】
また、表示輝度における1.4倍とは、PD装置１の表示期間が従来のPD装置の表示期間の2.0倍となり、発光面積が従来のPD装置の約0.7倍となるためである。ここで、発光面積における0.7倍とは、通常の１個の発光セルを２個の発光セルに分けているため、隔壁１３７による遮光部が増えてしまうからである。
【０１９７】
以上のように、PD装置１においては、黒輝度の低減、高輝度化、および画像の高階調化が可能となる。
【０１９８】
PD装置１のPDP１１においては、１本のアドレス電極４１で同色の２個の発光セル、例えば、発光セル１０１−１および発光セル１０１−２を駆動することが可能である。これにより、１画素において同色の発光セルを設ける場合に、アドレスドライバを増えることでコストが高くなることを防ぐことができる。
【０１９９】
また、アドレス電極４１の形状を変更するだけでいいので、画素の高精細化を容易に行うことができる。
【０２００】
従って、PD装置１においては、容易に、低コストで、画質を向上させることができる。
【０２０１】
また、10bitの階調の画像を表示するフルハイビジョンにおいて、走査線の数を1080本にした場合、リセット期間が約2.1msec（0.03msec×７）、走査期間が約7.56msec（0.002×1080/２×７）、表示期間が約4.1msec（0.004×1023）となり、合計が13.76msecとなり、１フィールドを16.7msecに収めることが可能になる。
【０２０２】
したがって、WXGA方式におけるフルハイビジョンにおいて、走査線の数を1080本にすることが可能となる。
【０２０３】
図８は、PDP１１の画素部３１の構成の他の例を示す図である。なお、図８の画素部３１の構成は、アドレス電極４１−Ｎ乃至４１−（Ｎ＋１）の形状以外は、図２の画素部３１の構成と同様である。従って、図２の画素部３１と同じ構成には、同じ符号を付してあり、その説明は省略する。
【０２０４】
アドレス電極４１−Ｎは、電極４１−Ｎａ、電極４１−Ｎｃ、および電極４１−Ｎｄにより形成されている。電極４１−Ｎａは、発光セル１０１−１において図８の縦方向に線状に形成され、配置されている。
【０２０５】
また、電極４１−Ｎｃは、電極４１−Ｎａの（発光セル１０１−１の）中央から、電極４１−Ｎａと同じ厚み（図示なし）で、図８の横方向に発光セル１０１−２に突き出るように形成され、配置されている。電極４１−Ｎｃの図８の縦方向の幅は、電極４１−Ｎａの図８の横方向の幅より細く形成されている。
【０２０６】
電極４１−Ｎｄは、発光セル１０１−２における電極４１−Ｎｃの端部から、図８の縦方向に線状に電極４１−Ｎａと同じ厚み（図示なし）、同じ幅（図８の横方向の幅）で形成され、配置されている。なお、電極４１−Ｎｄの図８の縦方向の長さは、発光セル１０１−２内に収まれば良く、任意の長さでよい。例えば、発光セル１０１−１および発光セル１０１−２において、アドレス電極４１−Ｎは、表示面から見て、“エ”を反時計方向に９０度まわした形状とされている。
【０２０７】
電極４１−Ｎａは、駆動電圧Ｐa1が印加されることで、駆動電圧Ｐa1と走査・維持放電電極４２−Ｍに印加される駆動電圧ＰY2とによる発光セル１０１−１内の放電により、発光セル１０１−１に、表示期間において発光セル１０１−１を発光させるのに必要な量の電荷を蓄積させる。電極４１−Ｎａに駆動電圧Ｐa1が印加された場合、電極４１−Ｎｃには抵抗が生じることになる。これは、電極４１−Ｎｃの図８の縦方向の幅が細く形成されているためである。
【０２０８】
電極４１−Ｎａに駆動電圧Ｐa1が印加された場合、電極４１−Ｎｃに抵抗が生じるため、電極４１−Ｎｄに印加される電圧は駆動電圧Ｐa1より低い電圧となる。これにより、電極４１−Ｎdには、電極４１−Ｎdに印加される電圧と走査・維持放電電極４２−Ｍに印加される駆動電圧ＰY2とによる発光セル１０１−１内の放電により、発光セル１０１−２に、表示期間において発光セル１０１−２を発光させるのに必要な量の電荷を蓄積させるだけの、電圧が印加されない。
【０２０９】
このとき、電極４１−Ｎｄに印加された電圧と走査・維持放電電極４２−Ｍに印加される駆動電圧ＰY2とにより、発光セル１０１−２内に放電が起こり、発光セル１０１−２には、表示期間において発光セル１０１−２を発光させない量の電荷が蓄積される。
【０２１０】
換言すれば、駆動電圧Ｐa1は、電極４１−Ｎｃに生じる抵抗によって、電極４１−Ｎｄが、発光セル１０１−２に、表示期間において発光セル１０１−２を発光させるのに必要な量の電荷を蓄積させることができない、大きさ（強さ）の電圧である。
【０２１１】
すなわち、駆動電圧Ｐa1がアドレス電極４１−Ｎに印加された場合、発光セル１０１−１は発光し、発光セル１０１−２は発光しない。
【０２１２】
電極４１−Ｎａは、駆動電圧Ｐa2が印加されることで、駆動電圧Ｐa2と走査・維持放電電極４２−Ｍに印加される駆動電圧ＰY2とによる発光セル１０１−１内の放電により、発光セル１０１−１に、表示期間において発光セル１０１−１を発光させるのに必要な量の電荷を蓄積させる。このとき、電極４１−Ｎｃの図８の縦方向の幅が細く形成されているため、電極４１−Ｎｃには抵抗が生じることになる。
【０２１３】
電極４１−Ｎａに駆動電圧Ｐa2が印加された場合、電極４１−Ｎｃに抵抗が生じるため、電極４１−Ｎｄに印加される電圧は駆動電圧Ｐa2より低い電圧となる。
【０２１４】
しかしながら、このとき、電極４１−Ｎｄには、電極４１−Ｎｃを介して、発光セル１０１−２に、走査・維持放電電極４２−Ｍに印加される駆動電圧ＰY2とによる発光セル１０１−１内の放電により、表示期間において発光セル１０１−２を発光させるのに必要な量の電荷を蓄積させる、大きさの電圧が印加される。
【０２１５】
すなわち、駆動電圧Ｐa2は、電極４１−Ｎｃに抵抗が生じても、電極４１−Ｎｄが、発光セル１０１−２に、表示期間において発光セル１０１−２を発光させるのに必要な量の電荷を蓄積させることができる電圧が印加される、大きさの電圧である。
【０２１６】
このように、駆動電圧Ｐa2がアドレス電極４１−Ｎに印加された場合、発光セル１０１−１および発光セル１０１−２は発光する。
【０２１７】
アドレス電極４１−（Ｎ＋１）は、電極４１−（Ｎ＋１）ａ、電極４１−（Ｎ＋１）ｃ、および電極４１−（Ｎ＋１）ｄにより形成されている。
【０２１８】
ここで、発光セル１０２−１および発光セル１０２−２における電極４１−（Ｎ＋１）ａ、電極４１−（Ｎ＋１）ｃ、および電極４１−（Ｎ＋１）ｄのそれぞれは、上述した発光セル１０１−１および発光セル１０１−２における電極４１−Ｎａ、電極４１−Ｎｃ、および電極４１−Ｎｄのそれぞれと同様の構成をしているため、その説明は省略する。
【０２１９】
また、駆動電圧Ｐa1および駆動電圧Ｐa2によって電極４１−（Ｎ＋１）ａ、電極４１−（Ｎ＋１）ｃ、および電極４１−（Ｎ＋１）ｄに印加される電圧と、発光セル１０２−１および発光セル１０２−２の発光および非発光の関係は、駆動電圧Ｐa1および駆動電圧Ｐa2によって電極４１−Ｎａ、電極４１−Ｎｃ、および電極４１−Ｎｄに印加される電圧と、発光セル１０１−１および発光セル１０１−２の発光および非発光の関係と同様であるので、その説明は省略する。
【０２２０】
アドレス電極４１−（Ｎ＋２）は、電極４１−（Ｎ＋２）ａ、電極４１−（Ｎ＋２）ｃ、および電極４１−（Ｎ＋２）ｄにより形成されている。
【０２２１】
ここで、発光セル１０３−１および発光セル１０３−２における電極４１−（Ｎ＋２）ａ、電極４１−（Ｎ＋２）ｃ、および電極４１−（Ｎ＋２）ｄのそれぞれは、上述した発光セル１０１−１および発光セル１０１−２における電極４１−Ｎａ、電極４１−Ｎｃ、および電極４１−Ｎｄのそれぞれと同様の構成をしているため、その説明は省略する。
【０２２２】
また、駆動電圧Ｐa1および駆動電圧Ｐa2によって電極４１−（Ｎ＋２）ａ、電極４１−（Ｎ＋２）ｃ、および電極４１−（Ｎ＋２）ｄに印加される電圧と、発光セル１０３−１および発光セル１０３−２の発光および非発光の関係は、駆動電圧Ｐa1および駆動電圧Ｐa2によって電極４１−Ｎａ、電極４１−Ｎｃ、および電極４１−Ｎｄに印加される電圧と、発光セル１０１−１および発光セル１０１−２の発光および非発光の関係と同様であるので、その説明は省略する。
【０２２３】
以上の構成により、図８で示される画素部３１を備えるPDP１１は、上述した図２で示される画素部３１を備えるPDP１１と同様の効果を有することができる。
【０２２４】
図９は、PDP１１の画素部３１の構成の他の例を示す図である。なお、図８の画素部３１の構成は、アドレス電極４１−Ｎ乃至４１−（Ｎ＋１）の形状以外は、図２の画素部３１の構成と同様である。従って、図２の画素部３１と同じ構成には、同じ符号を付してあり、その説明は省略する。
【０２２５】
アドレス電極４１−Ｎは、電極４１−Ｎａ、電極４１−Ｎｅ、電極４１−Ｎｆ、および電極４１−Ｎｇにより形成されている。電極４１−Ｎａは、発光セル１０１−１において図９の縦方向に線状に形成され、配置されている。
【０２２６】
電極４１−Ｎｅは、発光セル１０１−１における電極４１−Ｎａの図９の上側から、電極４１−Ｎａと同じ厚み（図示なし）で、図９の横方向に発光セル１０１−２に突き出るように形成され、配置されている。また、電極４１−Ｎｆは、発光セル１０１−１における電極４１−Ｎａの図９の下側から、電極４１−Ｎａと同じ厚み（図示なし）で、図９の横方向に発光セル１０１−２に突き出るように形成され、配置されている。
【０２２７】
電極４１−Ｎｅおよび電極４１−Ｎｆの図９の縦方向の幅は、電極４１−Ｎａの図９の横方向の幅より細く形成されている。
【０２２８】
電極４１−Ｎｇは、発光セル１０１−２における電極４１−Ｎｅおよび電極４１−Ｎｆの端部から、図９の縦方向に線状に電極４１−Ｎａと同じ厚み（図示なし）、同じ幅（図９の横方向の幅）で形成され、配置されている。なお、電極４１−Ｎｇの図９の縦方向の長さは、発光セル１０１−２内に収まれば良く、任意の長さでよい。
【０２２９】
電極４１−Ｎａは、駆動電圧Ｐa1が印加されることで、駆動電圧Ｐa1と走査・維持放電電極４２−Ｍに印加される駆動電圧ＰY2とによる発光セル１０１−１内の放電により、発光セル１０１−１に、表示期間において発光セル１０１−１を発光させるのに必要な量の電荷を蓄積させる。
【０２３０】
電極４１−Ｎａに駆動電圧Ｐa1が印加された場合、電極４１−Ｎｅおよび電極４１−Ｎｆには抵抗が生じることになる。これは、電極４１−Ｎｅおよび電極４１−Ｎｆの図９の縦方向の幅が細く形成されているためである。
【０２３１】
電極４１−Ｎａに駆動電圧Ｐa1が印加された場合、電極４１−Ｎｅおよび電極４１−Ｎｆに抵抗が生じるため、電極４１−Ｎｇには、電極４１−Ｎgに印加される電圧は駆動電圧Ｐa1より低い電圧となる。これにより、電極４１−Ｎｇには、電極４１−Ｎｇに印加される電圧と走査・維持放電電極４２−Ｍに印加される駆動電圧ＰY2とによる発光セル１０１−１内の放電により、発光セル１０１−２に、表示期間において発光セル１０１−２を発光させるのに必要な量の電荷を蓄積させるだけの、電圧が印加されない。
【０２３２】
このとき、電極４１−Ｎｇに印加された電圧と走査・維持放電電極４２−Ｍに印加される駆動電圧ＰY2とにより、発光セル１０１−２内に放電が起こり、発光セル１０１−２には、表示期間において発光セル１０１−２を発光させない量の電荷が蓄積される。
【０２３３】
換言すれば、駆動電圧Ｐa1は、電極４１−Ｎｅおよび電極４１−Ｎｆに生じる抵抗によって、電極４１−Ｎｇが、発光セル１０１−２に、表示期間において発光セル１０１−２を発光させるのに必要な量の電荷を蓄積させることができない、大きさ（強さ）の電圧である。
【０２３４】
すなわち、駆動電圧Ｐa1がアドレス電極４１−Ｎに印加された場合、発光セル１０１−１は発光し、発光セル１０１−２は発光しない。
【０２３５】
電極４１−Ｎａは、駆動電圧Ｐa2が印加されることで、発光セル１０１−１に、表示期間において発光セル１０１−１を発光させるのに必要な量の電荷を蓄積させる。このとき、電極４１−Ｎｅおよび電極４１−Ｎｆの図９の縦方向の幅が細く形成されているため、電極４１−Ｎｅおよび電極４１−Ｎｆには抵抗が生じることになる。
【０２３６】
しかしながら、このとき、電極４１−Ｎｇには、電極４１−Ｎｅおよび電極４１−Ｎｆを介して、走査・維持放電電極４２−Ｍに印加される駆動電圧ＰY2とによる発光セル１０１−２内の放電により、発光セル１０１−２に、表示期間において発光セル１０１−２を発光させるのに必要な量の電荷を蓄積させる、大きさの電圧が印加される。
【０２３７】
すなわち、駆動電圧Ｐa2は、電極４１−Ｎｅおよび電極４１−Ｎｆに抵抗が生じても、電極４１−Ｎｇが、発光セル１０１−２に、表示期間において発光セル１０１−２を発光させるのに必要な量の電荷を蓄積させる、大きさの電圧である。
【０２３８】
このように、駆動電圧Ｐa2がアドレス電極４１−Ｎに印加された場合、発光セル１０１−１および発光セル１０１−２は発光する。
【０２３９】
アドレス電極４１−（Ｎ＋１）は、電極４１−（Ｎ＋１）ａ、電極４１−（Ｎ＋１）ｅ、電極４１−（Ｎ＋１）ｆ、および電極４１−（Ｎ＋１）ｇにより形成されている。
【０２４０】
ここで、発光セル１０２−１および発光セル１０２−２における電極４１−（Ｎ＋１）ａ、電極４１−（Ｎ＋１）ｅ、電極４１−（Ｎ＋１）ｆ、および電極４１−（Ｎ＋１）ｇのそれぞれは、上述した発光セル１０１−１および発光セル１０１−２における電極４１−Ｎａ、電極４１−Ｎｅ、電極４１−Ｎｆ、および電極４１−Ｎｇのそれぞれと同様の構成をしているため、その説明は省略する。
【０２４１】
また、駆動電圧Ｐa1および駆動電圧Ｐa2によって電極４１−（Ｎ＋１）ａ、電極４１−（Ｎ＋１）ｅ、電極４１−（Ｎ＋１）ｆ、および電極４１−（Ｎ＋１）ｇに印加される電圧と、発光セル１０２−１および発光セル１０２−２の発光および非発光の関係は、駆動電圧Ｐa1および駆動電圧Ｐa2によって電極４１−Ｎａ、電極４１−Ｎｅ、電極４１−Ｎｆ、および電極４１−Ｎｇに印加される電圧と、発光セル１０１−１および発光セル１０１−２の発光および非発光の関係と同様であるので、その説明は省略する。
【０２４２】
アドレス電極４１−（Ｎ＋２）は、電極４１−（Ｎ＋２）ａ、電極４１−（Ｎ＋２）ｅ、電極４１−（Ｎ＋２）ｆ、および電極４１−（Ｎ＋２）ｇにより形成されている。
【０２４３】
ここで、発光セル１０３−１および発光セル１０３−２における電極４１−（Ｎ＋２）ａ、電極４１−（Ｎ＋２）ｅ、電極４１−（Ｎ＋２）ｆ、および電極４１−（Ｎ＋２）ｇのそれぞれは、上述した発光セル１０１−１および発光セル１０１−２における電極４１−Ｎａ、電極４１−Ｎｅ、電極４１−Ｎｆ、および電極４１−Ｎｇのそれぞれと同様の構成をしているため、その説明は省略する。
【０２４４】
また、駆動電圧Ｐa1および駆動電圧Ｐa2によって電極４１−（Ｎ＋２）ａ、電極４１−（Ｎ＋２）ｅ、電極４１−（Ｎ＋２）ｆ、および電極４１−（Ｎ＋２）ｇに印加される電圧と、発光セル１０３−１および発光セル１０３−２の発光および非発光の関係は、駆動電圧Ｐa1および駆動電圧Ｐa2によって電極４１−Ｎａ、電極４１−Ｎｅ、電極４１−Ｎｆ、および電極４１−Ｎｇに印加される電圧と、発光セル１０１−１および発光セル１０１−２の発光および非発光の関係と同様であるので、その説明は省略する。
【０２４５】
以上の構成により、図９で示される画素部３１を備えるPDP１１は、上述した図２で示される画素部３１を備えるPDP１１と同様の効果を有することができる。
【０２４６】
図１０は、本発明の一実施の形態に係るPD装置１の構成の他の例を示すブロック図である。なお、図１で示されるPD装置１と同様の構成には、同じ符号を付してあり、その説明は適宜省略する。
【０２４７】
PD装置１は、PDP２０１およびPDP２０１に画像を表示させる駆動ユニット１２から構成されている。
【０２４８】
PDP２０１は、プラズマ放電により発光する、マトリクス形式のカラー表示デバイスである。PDP２０１には、画像が表示される領域（画面）である表示領域２２１が設けられている。PDP２０１の表示領域２２１には、縦横に並ぶように、小さな蛍光放電管である発光セルが配置されている。発光セルは、赤、緑、青のいずれかの色を発光（点灯）する。
【０２４９】
複数の発光セルの発光および非発光が制御されることで、表示領域２２１に画像が表示される。
【０２５０】
表示領域２２１には、表示領域２２１の画素のうちの、１画素を構成する複数の発光セルからなる所定の数の画素部２３１が設けられている。すなわち、画素部２３１は、PDP２０１がWXGA方式である場合、1280×768画素のうちの、１つの画素を表している。
【０２５１】
表示領域２２１の図１０の上半分の列方向には、アドレス電極２４１−１乃至２４１−ｎが配置され、下半分の列方向には、アドレス電極２４１−（ｎ＋１）乃至２４１−２ｎが配置されている。
【０２５２】
表示領域２２１の図１０の行方向には、アドレス電極２４１−１乃至２４１−ｎと交差するように、走査・維持放電電極２４２−１乃至２４２−ｍ（図示なし）が配置されている。また、表示領域２２１の図１０の行方向には、アドレス電極２４１−（ｎ＋１）乃至２４１−２ｎと交差するように、走査・維持放電電極２４２−（ｍ＋１）（図示なし）乃至２４２−２ｍが配置されている。
【０２５３】
アドレス電極２４１−１乃至２４１−２ｎのそれぞれは、走査期間において、所定の電圧が印加される。アドレス電極２４１−１乃至２４１−２ｎのそれぞれは、図中の縦一列に並ぶ発光セルに電圧を印加することにより、発光させる発光セルを選択するための電極である。
【０２５４】
また、走査・維持放電電極２４２−１乃至２４２−２ｍのそれぞれは、走査期間において、所定の電圧が印加される。走査・維持放電電極２４２−１乃至２４２−２ｍのそれぞれは、図中の横一列に並ぶ発光セルに電圧を印加することにより、発光させる発光セルを選択するための電極である。
【０２５５】
さらに、表示領域２２１の図１０の行方向には、維持放電電極２４３−１乃至２４３−（２ｍ＋１）が設けられている。維持放電電極２４３−１乃至２４３−（２ｍ＋１）のそれぞれは、図中の横一列に並ぶ発光セルに電圧を印加する。
【０２５６】
維持放電電極２４３−１乃至２４３−（２ｍ＋１）のそれぞれ、および走査・維持放電電極２４２−１乃至２４２−２ｍのそれぞれは、表示期間の際、走査期間において選択された発光セルにおいて、所定の放電を起こさせるために、所定の電圧が印加される電極である。
【０２５７】
以下、アドレス電極２４１−１乃至２４１−２ｎを個々に区別する必要のないとき、単に、アドレス電極２４１と称する。同様に、走査・維持放電電極２４２−１乃至２４２−２ｍを個々に区別する必要のないとき、単に、走査・維持放電電極２４２と称する。また、維持放電電極２４３−１乃至２４３−（２ｍ＋１）を個々に区別する必要のないとき、単に、維持放電電極２４３と称する。
【０２５８】
画素部２３１には、アドレス電極２４１−Ｎ乃至２４１−（Ｎ＋２）が配置されている。また、画素部２３１には、走査・維持放電電極２４２−Ｍ、並びに維持放電電極２４３−Ｍおよび維持放電電極２４３−（Ｍ＋１）が配置されている。すなわち、表示領域２２１の各画素には、３個のアドレス電極２４１が配置され、走査・維持放電電極２４２および２つの維持放電電極２４３が配置されている。
【０２５９】
ここで、アドレス電極２４１−Ｎ乃至２４１−（Ｎ＋２）は、アドレス電極２４１−１乃至２４１−２ｎのうちの、１つの画素に配置される、３つの連続したアドレス電極２４１である。走査・維持放電電極２４２−Ｍは、走査・維持放電電極２４２−１乃至２４２−２ｍのうちの、１つの走査・維持放電電極２４２である。維持放電電極２４３−Ｍおよび維持放電電極２４３−（Ｍ＋１）は、維持放電電極２４３−１乃至２４３−（２ｍ＋１）のうちの、２つの連続した維持放電電極２４３である。
【０２６０】
アドレスドライバ５５−１は、走査期間において、コントローラ５１の制御の基、供給されたSFデータに応じてアドレス電極２４１−１乃至２４１−ｎのそれぞれに所定の電圧を印加する。
【０２６１】
アドレスドライバ５５−２は、走査期間において、コントローラ５１の制御の基、供給されたSFデータに応じてアドレス電極２４１−（ｎ＋１）乃至２４１−２ｎのそれぞれに所定の電圧を印加する。
【０２６２】
走査ドライバ５６−１は、コントローラ５１の制御の基、走査期間において、走査・維持放電電極２４２−１乃至２４２−ｍのそれぞれに所定の電圧を印加する。
【０２６３】
走査ドライバ５６−２は、コントローラ５１の制御の基、走査期間において、走査・維持放電電極２４２−（ｍ＋１）乃至２４２−２ｍのそれぞれに所定の電圧を印加する。
【０２６４】
Ｘ維持放電ドライバ５７は、リセット期間および表示期間において、コントローラ５１の制御の基、所定の電圧を維持放電電極２４３−１乃至２４３−（２ｍ＋１）に印加する。
【０２６５】
走査ドライバ５６−１および走査ドライバ５６−２に接続されているＹ維持放電ドライバ５８は、表示期間において、コントローラ５１の制御の基、走査ドライバ５６−１および走査ドライバ５６−２を介して、走査・維持放電電極２４２−１乃至２４２−２ｍのそれぞれに所定の電圧を印加する。
【０２６６】
次に、図１１および図１２を参照して、PDP２０１の画素部２３１の構成を説明する。ここで、図１１は、PDP２０１の画素部２３１の構成の例を示す透過図である。また、図１２は、図２のＢ―Ｂ線における、画素部２３１の縦断面図である。
【０２６７】
図１１で示されるように、画素部２３１は、赤色に発光する発光セル２９１−１と発光セル２９１−２、緑色に発光する発光セル２９２−１と発光セル２９２−２、および青色に発光する発光セル２９３−１と発光セル２９３−２の６個の発光セルにより構成される。
【０２６８】
発光セル２９１−１および発光セル２９１−２は図１１の縦方向に隣接するように配置され、同様に、発光セル２９２−１および発光セル２９２−２は、図１１の縦方向に隣接するように配置され、発光セル２９３−１および発光セル２９３−２は図１１の縦方向に隣接するように配置される。
【０２６９】
図１２で示されるように、PDP２０１における表面のガラス基板である表面基板３３０の図中の下側に、走査・維持放電電極２４２−Ｍ、維持放電電極２４３−Ｍ、および維持放電電極２４３−（Ｍ＋１）が形成されている。走査・維持放電電極２４２−Ｍは、透明な電極である透明電極３０１−１乃至３０１−３およびバス電極３１１から構成されている。維持放電電極２４３−Ｍは、透明電極３０２−１乃至３０２−３およびバス電極３１２から構成されている。維持放電電極２４３−（Ｍ＋１）は、透明電極３０３−１乃至３０３−３およびバス電極３１３から構成されている。
【０２７０】
透明電極３０１−１乃至３０１−３には、バス電極３１１が接続されている。透明電極３０２−１乃至３０２−３には、バス電極３１２が接続されている。透明電極３０３−１乃至３０３−３には、バス電極３１３が接続されている。
【０２７１】
図１１で示されるように、透明電極３０１−１は、透明電極３０１−１に電圧が印加されることで、発光セル２９１−１および発光セル２９１−２に電荷を蓄積させるように配置されている。
【０２７２】
また、透明電極３０１−２は、透明電極３０１−２に電圧が印加されることで、発光セル２９２−１および発光セル２９２−２に電荷を蓄積させるように配置されている。
【０２７３】
さらに、透明電極３０１−３は、透明電極３０１−３に電圧が印加されることで、発光セル２９３−１および発光セル２９３−２に電荷を蓄積させるように配置されている。
【０２７４】
透明電極３０２−１は、透明電極３０２−１に電圧が印加されることで、発光セル２９１−１および画素部２３１の1つ上の画素の赤色に発光する発光セルに電荷を蓄積させるように配置されている。
【０２７５】
また、透明電極３０２−２は、透明電極３０２−２に電圧が印加されることで、発光セル２９２−１および画素部２３１の1つ上の画素の緑色に発光する発光セルに電荷を蓄積させるように配置されている。
【０２７６】
さらに、透明電極３０２−３は、透明電極３０２−３に電圧が印加されることで、発光セル２９３−１および画素部２３１の1つ上の画素の青色に発光する発光セルに電荷を蓄積させるように配置されている。
【０２７７】
透明電極３０３−１は、透明電極３０２−１に電圧が印加されることで、発光セル２９１−２および画素部２３１の1つ下の画素の赤色に発光する発光セルに電荷を蓄積させるように配置されている。
【０２７８】
また、透明電極３０３−２は、透明電極３０２−２に電圧が印加されることで、発光セル２９２−２および画素部２３１の1つ下の画素の緑色に発光する発光セルに電荷を蓄積させるように配置されている。
【０２７９】
さらに、透明電極３０３−３は、透明電極３０２−３に電圧が印加されることで、発光セル２９３−２および画素部２３１の1つ下の画素の青色に発光する発光セルに電荷を蓄積させるように配置されている。
【０２８０】
すなわち、発光セル２９１−１には、透明電極３０１−１および透明電極３０２−１が配置され、発光セル２９１−２には、透明電極３０１−１および透明電極３０３−１が配置されている。同様に、発光セル２９２−１には、透明電極３０１−２および透明電極３０２−２が配置され、発光セル２９２−２には、透明電極３０１−２および透明電極３０３−２が配置されている。発光セル２９３−１には、透明電極３０１−３および透明電極３０２−３が配置され、発光セル２９３−２には、透明電極３０１−３および透明電極３０３−３が配置されている。
【０２８１】
表面基板３３０の図１２の下側には、透明電極３０１−１乃至３０１−３、およびバス電極３１１、透明電極３０２−１乃至３０２−３、およびバス電極３１２、並びに透明電極３０３−１乃至３０３−３、およびバス電極３１３を覆うように、低融点ガラスである表面基板誘電体層３３１が形成されている。
【０２８２】
表面基板誘電体層３３１の図１２の下側には、酸化マグネシウムである保護層３３２が形成されている。
【０２８３】
PDP２０１における背面のガラス基板である背面基板３３３の図１２の上側には、アドレス電極２４１−Ｎ乃至２４１−（Ｎ＋２）が形成され、そのアドレス電極２４１−Ｎ乃至２４１−（Ｎ＋２）が、低融点ガラスである背面基板誘電体層３３４で覆われるように形成されている。
【０２８４】
背面基板誘電体層３３４には、発光セル２９１−２、発光セル２９２−２、および発光セル２９３−２のそれぞれにおいて、凸部３３４ａ、凸部３３４ｂ、および凸部３３４ｃのそれぞれが形成されている。すなわち、発光セル２９１−２、発光セル２９２−２、および発光セル２９３−２のそれぞれにおける背面基板誘電体層３３４は、発光セル２９１−１、発光セル２９２−１、および発光セル２９３−１のそれぞれにおける背面基板誘電体層３３４より厚く形成されている。
【０２８５】
PDP２０１には、保護層３３２と背面基板誘電体層３３４に挟まれ、放電空間３３５および放電空間３３６を保ち、且つ、赤、緑、青の各色の蛍光体（図１２においては青色の蛍光体３３７および蛍光体３３８）の混色を防ぐ隔壁３３９が形成されている。
【０２８６】
放電空間３３５および放電空間３３６には、水銀ガスやキセノンガスなどの放電ガスが封入されている。
【０２８７】
放電空間３３５および放電空間３３６における、赤、緑、青の各色の蛍光体は、隔壁３３９の壁面に塗布されている。
【０２８８】
図１１で示されるように、アドレス電極２４１−Ｎは、発光セル２９１−１および発光セル２９１−２において、図１１の縦方向に線状に形成（配置）されている。
【０２８９】
発光セル２９１−１における電極２４１−Ｎは、電極２４１−Ｎに駆動電圧Ｐa1が印加されることで、駆動電圧Ｐa1と走査・維持放電電極２４２−Ｍに印加される駆動電圧ＰY2とによる発光セル２９１−１内の放電により、発光セル２９１−１に、表示期間において発光セル２９１−１を発光させるのに必要な量の電荷を蓄積させる。
【０２９０】
また、電極２４１−Ｎに駆動電圧Ｐa1が印加された場合、発光セル２９１−２における電極２４１−Ｎは、駆動電圧Ｐa1と走査・維持放電電極２４２−（Ｍ＋１）に印加される駆動電圧ＰY2とによる発光セル２９１−２内の放電により、発光セル２９１−２に、表示期間において発光セル２９１−２を発光させるのに必要な量の電荷を蓄積させるだけの、電圧が印加されない。
【０２９１】
このとき、発光セル２９１−２における電極２４１−Ｎに印加された電圧と走査・維持放電電極２４２−Ｍに印加される駆動電圧ＰY2とにより、発光セル２９１−２内に放電が起こり、発光セル２９１−２には、表示期間において発光セル２９１−２を発光させない量の電荷が蓄積される。
【０２９２】
すなわち、発光セル２９１−２における電極２４１−Ｎには、背面基板誘電体層３３４が凸部３３４ａによって、発光セル２９１−１における背面基板誘電体層３３４の厚さの、例えば、２倍とされている。
【０２９３】
したがって、背面基板誘電体層３３４である凸部３３４ａによって、アドレス電極２４１に印加される電圧が抑制される。これにより、駆動電圧Ｐa1による発光セル２９１−２における電荷が、蓄積され難くなっている。
【０２９４】
また、発光セル２９１−２の放電空間（図１２における発光セル２９３−２においては放電空間３３６）が凸部３３４ａによって、図１２の縦方向の発光セル２９１−２の放電空間の高さが狭まっていることで、発光セル２９１−２の放電空間における放電が行なわれ難い状態になされている。
【０２９５】
換言すれば、駆動電圧Ｐa1は、発光セル２９１−１におけるアドレス電極２４１−Ｎが、発光セル２９１−１に、表示期間において発光セル２９１−１を発光させるのに必要な量の電荷を蓄積させることができ、発光セル２９１−２におけるアドレス電極２４１−Ｎが、背面基板誘電体層３３４の凸部３３４ａによって、印加される電圧が抑制され、発光セル２９１−２に、表示期間において発光セル２９１−２を発光させるのに必要な量の電荷を蓄積させることができない、大きさ（強さ）の電圧である。
【０２９６】
すなわち、駆動電圧Ｐa1がアドレス電極２４１−Ｎに印加された場合、発光セル２９１−１は発光し、発光セル２９１−２は発光しない。
【０２９７】
発光セル２９１−１における電極２４１−Ｎは、電極２４１−Ｎに駆動電圧Ｐa2が印加されることで、駆動電圧Ｐa2と走査・維持放電電極２４２−Ｍに印加される駆動電圧ＰY2とによる発光セル２９１−１内の放電により、発光セル２９１−１に、表示期間において発光セル２９１−１を発光させるのに必要な量の電荷を蓄積させる。
【０２９８】
また、電極２４１−Ｎに駆動電圧Ｐa2が印加された場合、発光セル２９１−２における電極２４１−Ｎは、発光セル２９１−２に、表示期間において発光セル２９１−２を発光させるのに必要な量の電荷を蓄積させる。
【０２９９】
すなわち、駆動電圧Ｐa2は、発光セル２９１−２におけるアドレス電極２４１−Ｎが、背面基板誘電体層３３４の凸部３３４ａによって、印加される電圧が抑制されても、発光セル２９１−２に、走査・維持放電電極４２−Ｍに印加される駆動電圧ＰY2とによる発光セル２９１−２内の放電により、表示期間において発光セル２９１−２を発光させるのに必要な量の電荷を蓄積させること可能な、大きさ（強さ）の電圧である。
【０３００】
このように、駆動電圧Ｐa2がアドレス電極２４１−Ｎに印加された場合、発光セル２９１−１および発光セル２９１−２は発光する。
【０３０１】
ここで、発光セル２９２−１および発光セル２９２−２におけるアドレス電極２４１−（Ｎ＋１）および背面基板誘電体層３３４の凸部３３４ｂのそれぞれは、上述した発光セル２９１−１および発光セル２９１−２におけるアドレス電極２４１−Ｎおよび背面基板誘電体層３３４の凸部３３４ａのそれぞれと同様の構成をしているため、その説明は省略する。
【０３０２】
また、駆動電圧Ｐa1および駆動電圧Ｐa2によってアドレス電極２４１−（Ｎ＋１）に印加される電圧および背面基板誘電体層３３４の凸部３３４ｂと、発光セル２９２−１および発光セル２９２−２の発光および非発光との関係は、駆動電圧Ｐa1および駆動電圧Ｐa2によってアドレス電極２４１−Ｎに印加される電圧および背面基板誘電体層３３４の凸部３３４ａと、発光セル２９１−１および発光セル２９１−２の発光および非発光との関係と同様であるので、その説明は省略する。
【０３０３】
ここで、発光セル２９３−１および発光セル２９３−２におけるアドレス電極２４１−（Ｎ＋２）および背面基板誘電体層３３４の凸部３３４ｃのそれぞれは、上述した発光セル２９１−１および発光セル２９１−２におけるアドレス電極２４１−Ｎおよび背面基板誘電体層３３４の凸部３３４ａのそれぞれと同様の構成をしているため、その説明は省略する。
【０３０４】
また、駆動電圧Ｐa1および駆動電圧Ｐa2によってアドレス電極２４１−（Ｎ＋２）に印加される電圧および背面基板誘電体層３３４の凸部３３４ｃと、発光セル２９３−１および発光セル２９３−２の発光および非発光との関係は、駆動電圧Ｐa1および駆動電圧Ｐa2によってアドレス電極２４１−Ｎに印加される電圧および背面基板誘電体層３３４の凸部３３４ａと、発光セル２９１−１および発光セル２９１−２の発光および非発光との関係と同様であるので、その説明は省略する。
【０３０５】
以上のように、図１０で示されるPD装置１においては、リセット期間における放電面積が増える。すなわち、例えば、発光セル２９１−１における透明電極３０１−１と透明電極３０２−１との間の放電面積が増えることによって黒輝度の低減は得られなくなる。
【０３０６】
しかしながら、１つの画素である画素部２３１において、各色における１個の発光セルを図１１の縦方向に２つに分けているため、すなわち、例えば、発光セル２９１−１と発光セル２９１−２とを縦に配置しているため、図２で示される図２の横方向に各色の発光セルが２つに分けられた画素部３１よりも、隔壁３３９の形成は容易にできる。
【０３０７】
図１３で示される画素部２３１の場合、その表示輝度は、１画素に、３個の赤、緑、青の発光セルを１個ずつ配置する従来に比べ、1.8倍となる。
【０３０８】
画素部２３１においては、１画素における各色の発光セルを図１１の縦方向に２個に分けているため、表示期間が2.0倍となり、発光面積が約0.9倍となる。
【０３０９】
以上のように、各色の２個の発光セルは、１本のアドレス電極２４１での駆動が可能となるため、アドレスドライバの数が増えることによる大幅なコスト高にはならない。
【０３１０】
また、PDP２０１の製作のプロセスとして従来の背面基板誘電体層の形状を変更するだけなので、画素の高精細化を容易に行うことができる。
【０３１１】
以上の構成により、図１１で示される画素部２３１を備えるPDP２０１は、上述した図２で示される画素部３１を備えるPDP１１と同様の効果を有することができる。また、PDP２０１における画素の高精細化を容易に行うことができる。
【０３１２】
図１３は、PDP２０１の画素部２３１の構成の他の例を示す図である。なお、図１３の画素部２３１の構成において、アドレス電極２４１−Ｎ乃至２４１−（Ｎ＋２）の形状が、図１１の画素部２３１の構成との異なる点である。
【０３１３】
また、図１３の画素部２３１の構成において、図１３の画素部２３１の図示せぬ背面基板誘電体層３３４には、凸部３３４ａ乃至３３４ｃが無く、発光セル２９１−１、発光セル２９２−１、および発光セル２９３−１における背面基板誘電体層３３４と、発光セル２９１−２、発光セル２９２−２、および発光セル２９３−２における背面基板誘電体層３３４との厚みが均一であることが、図１１の画素部２３１の構成との異なる点である。
【０３１４】
上述した２点以外は、図１１の画素部２３１の構成と同様である。従って、図１１の画素部２３１と同じ構成には、同じ符号を付してあり、その説明は省略する。
【０３１５】
アドレス電極２４１−Ｎは、電極２４１−Ｎａ、電極２４１−Ｎｂ、および電極２４１−Ｎｃにより形成されている。アドレス電極２４１−Ｎは、発光セル２９１−１において図１３の縦方向に線状に形成され、配置されている。
【０３１６】
電極２４１−Ｎａの図１３の横方向の幅は、後述する電極２４１−Ｎｂの図１３の横方向の幅より細く形成されている。電極２４１−Ｎｂは、発光セル２９１−１における電極２４１−Ｎａの端部から、電極２４１−Ｎａと同じ厚み（図示なし）で、その図１３の横方向の幅は、電極２４１−Ｎａの図１３の横方向の幅より太く（長く）、発光セル１０１−１内に収まるように形成され、配置されている。すなわち、電極２４１−Ｎｂは、例えば、発光セル１０１−１内において、電極２４１−Ｎａの図１３の横方向の幅（横の長さ）より、広い（長い）長方形の形状をしている。
【０３１７】
電極２４１−Ｎｃは、発光セル２９１−１における電極２４１−Ｎｂの図１３の下方向の端部から発光セル２９１−２にのびるように図１３の縦方向に線状に形成され、配置されている。電極２４１−Ｎｃは、電極２４１−Ｎａと同じ厚み（図示なし）で、電極２４１−Ｎｃの図１３の横方向の幅は、電極２４１−Ｎａの図１３の横方向の幅と同じに、形成されている。
【０３１８】
電極２４１−Ｎｂは、電極２４１−Ｎａに駆動電圧Ｐa1が印加されることで、駆動電圧Ｐa1と走査・維持放電電極２４２−Ｍに印加される駆動電圧ＰY2とによる発光セル２９１−１内の放電により、発光セル２９１−１に、表示期間において発光セル２９１−１を発光させるのに必要な量の電荷を蓄積させる。
【０３１９】
また、電極２４１−Ｎａに駆動電圧Ｐa1が印加された場合、電極２４１−Ｎｃには、走査・維持放電電極２４２−Ｍに印加される駆動電圧ＰY2とによる発光セル２９１−２内の放電により、発光セル２９１−２に、表示期間において発光セル２９１−２を発光させるのに必要な量の電荷を蓄積させるだけの、電圧が印加されない。
【０３２０】
このとき、発光セル２９１−２における電極２４１−Ｎｃに印加された電圧と走査・維持放電電極２４２−Ｍに印加される駆動電圧ＰY2とにより、発光セル２９１−２内に放電が起こり、発光セル２９１−２には、表示期間において発光セル２９１−２を発光させない量の電荷が蓄積される。
【０３２１】
すなわち、電極２４１−Ｎｂの発光セル２９１−１における面積は、駆動電圧Ｐa1が印加されることで、発光セル２９１−１に、表示期間において発光セル２９１−１を発光させるのに必要な量の電荷を蓄積させることが可能な大きさであり、電極２４１−Ｎｃの発光セル２９１−２における面積は、発光セル２９１−２に、表示期間において発光セル２９１−２を発光させるのに必要な量の電荷を蓄積させることができない大きさである。
【０３２２】
換言すれば、駆動電圧Ｐa1は、電極２４１−Ｎｂが、発光セル２９１−１に、表示期間において発光セル２９１−１を発光させるのに必要な量の電荷を蓄積させることが可能であり、電極２４１−Ｎｃが、発光セル２９１−２に、表示期間において発光セル２９１−２を発光させるのに必要な量の電荷を蓄積させることができない、大きさ（強さ）の電圧である。
【０３２３】
すなわち、駆動電圧Ｐa1がアドレス電極２４１−Ｎに印加された場合、発光セル２９１−１は発光し、発光セル２９１−２は発光しない。
【０３２４】
電極２４１−Ｎｂは、電極２４１−Ｎａに駆動電圧Ｐa2が印加されることで、駆動電圧Ｐa2と走査・維持放電電極２４２−Ｍに印加される駆動電圧ＰY2とによる発光セル２９１−１内の放電により、発光セル２９１−１に、表示期間において発光セル２９１−１を発光させるのに必要な量の電荷を蓄積させる。
【０３２５】
また、電極２４１−Ｎａに駆動電圧Ｐa2が印加された場合、電極２４１−Ｎｃには、走査・維持放電電極２４２−Ｍに印加される駆動電圧ＰY2とによる発光セル２９１−２内の放電により、発光セル２９１−２に、表示期間において発光セル２９１−２を発光させるのに必要な量の電荷を蓄積させることが可能な、大きさの電圧が印加される。
【０３２６】
すなわち、電極２４１−Ｎｂの発光セル２９１−１における面積は、駆動電圧Ｐa2が印加されることで、発光セル２９１−１に、表示期間において発光セル２９１−１を発光させるのに必要な量の電荷を蓄積させることが可能な大きさであり、電極２４１−Ｎｃの発光セル２９１−２における面積は、発光セル２９１−２に、表示期間において発光セル２９１−２を発光させるのに必要な量の電荷を蓄積させることが可能な大きさである。
【０３２７】
換言すれば、駆動電圧Ｐa1は、電極２４１−Ｎｂの発光セル２９１−１における面積より、小さい電極２４１−Ｎｃの発光セル２９１−２における面積において、表示期間において発光セル２９１−２を発光させるのに必要な量の電荷を蓄積させることが可能な、大きさ（強さ）の電圧である。
【０３２８】
このように、駆動電圧Ｐa2がアドレス電極２４１−Ｎに印加された場合、発光セル２９１−１および発光セル２９１−２は発光する。
【０３２９】
アドレス電極２４１−（Ｎ＋１）は、電極２４１−（Ｎ＋１）ａ、電極２４１−（Ｎ＋１）ｂ、および電極２４１−（Ｎ＋１）ｃにより形成されている。
【０３３０】
ここで、発光セル２９２−１および発光セル２９２−２における電極２４１−（Ｎ＋１）ａ、電極２４１−（Ｎ＋１）ｂ、および電極２４１−（Ｎ＋１）ｃのそれぞれは、上述した発光セル２９１−１および発光セル２９１−２における電極２４１−Ｎａ、電極２４１−Ｎｂ、および電極２４１−Ｎｃのそれぞれと同様の構成をしているため、その説明は省略する。
【０３３１】
また、駆動電圧Ｐa1および駆動電圧Ｐa2によって電極２４１−（Ｎ＋１）ａ、電極２４１−（Ｎ＋１）ｂ、および電極２４１−（Ｎ＋１）ｃに印加される電圧と、発光セル２９２−１および発光セル２９２−２の発光および非発光との関係は、駆動電圧Ｐa1および駆動電圧Ｐa2によって電極２４１−Ｎａ、電極２４１−Ｎｂ、および電極２４１−Ｎｃに印加される電圧と、発光セル２９１−１および発光セル２９１−２の発光および非発光との関係と同様であるので、その説明は省略する。
【０３３２】
アドレス電極２４１−（Ｎ＋２）は、電極２４１−（Ｎ＋２）ａ、電極２４１−（Ｎ＋２）ｂ、および電極２４１−（Ｎ＋２）ｃにより形成されている。
【０３３３】
ここで、発光セル２９３−１および発光セル２９３−２における電極２４１−（Ｎ＋２）ａ、電極２４１−（Ｎ＋２）ｂ、および電極２４１−（Ｎ＋２）ｃのそれぞれは、上述した発光セル２９１−１および発光セル２９１−２における電極２４１−Ｎａ、電極２４１−Ｎｂ、および電極２４１−Ｎｃのそれぞれと同様の構成をしているため、その説明は省略する。
【０３３４】
また、駆動電圧Ｐa1および駆動電圧Ｐa2によって電極２４１−（Ｎ＋２）ａ、電極２４１−（Ｎ＋２）ｂ、および電極２４１−（Ｎ＋２）ｃに印加される電圧と、発光セル２９３−１および発光セル２９３−２の発光および非発光との関係は、駆動電圧Ｐa1および駆動電圧Ｐa2によって電極２４１−Ｎａ、電極２４１−Ｎｂ、および電極２４１−Ｎｃに印加される電圧と、発光セル２９１−１および発光セル２９１−２の発光および非発光との関係と同様であるので、その説明は省略する。
【０３３５】
図１３の画素部２３１においては、PDP２０１の製作のプロセスとして従来のアドレス電極の形状を変更するだけなので、画素の高精細化を容易に行うことができる。
【０３３６】
以上の構成により、図１３で示される画素部２３１を備えるPDP２０１は、上述した図１１で示される画素部２３１を備えるPDP２０１と同様の効果を有することができる。
【０３３７】
また、上述した図８で示される画素部３１において、電極４１−Ｎｃの図８の縦方向の幅を、電極４１−Ｎａの図８の横方向の幅と同じ長さにし、発光セル１０１−２における背面基板誘電体層を、図１１で示される凸部３３４ａのように、厚く形成するようしてもよい。
【０３３８】
このように、PD装置におけるPDPの各画素において、各色２個の発光セルを設けるようにした場合、画素を高精細化することができる。第１のセルと、第１のセルに隣接するように設けられている第２のセルと、サブフィールドのうちの発光させるか発光させないかを選択する期間において、第１の電圧が印加された場合、そのサブフィールドにおいて第１のセルを発光させる量の電荷を第１のセルに蓄積させ、そのサブフィールドにおいて第２のセルを発光させない量の電荷を第２のセルに蓄積させ、第２の電圧が印加された場合、そのサブフィールドにおいて第１のセルおよび第２のセルを発光させる量の電荷を第１のセルおよび第２のセルに蓄積させる電極とを設けるようにした場合には、より低コストで、画質を向上させることができる。
【図面の簡単な説明】
【０３３９】
【図１】本発明の一実施の形態に係るプラズマディスプレイ装置の構成の例を示すブロック図である。
【図２】図１のプラズマディスプレイパネルの画素部の構成の例を示す透過図である。
【図３】図２のＡ―Ａ線における、画素部の縦断面図である。
【図４】維持放電電極、走査・維持放電電極、およびアドレス電極における駆動電圧波形の関係を説明するタイミングチャートである。
【図５】外部から供給される画像信号における１フィールドの画像の階調と、実際に表示される１フィールドの画像の階調との関係を説明する図である。
【図６】外部から供給される画像信号における１フィールドの画像の階調と、実際に表示される１フィールドの画像の階調との関係を説明する図である。
【図７】アドレス電極への電圧の印加の処理を説明するフローチャートである。
【図８】図１のプラズマディスプレイパネルの画素部の構成の他の例を示す図である。
【図９】図１のプラズマディスプレイパネルの画素部の構成の他の例を示す図である。
【図１０】本発明の一実施の形態に係るプラズマディスプレイ装置の構成の他の例を示すブロック図である。
【図１１】図１０のプラズマディスプレイパネルの画素部の構成の例を示す図である。
【図１２】図１１のＢ―Ｂ線における、画素部の縦断面図である。
【図１３】図１０のプラズマディスプレイパネルの画素部の構成の他の例を示す図である。
【符号の説明】
【０３４０】
１  プラズマディスプレイ装置，  １１  プラズマディスプレイパネル，  １２  駆動ユニット，  ５１  コントローラ，  ５５−１および５５−２  アドレスドライバ，  ４１−１乃至４１−２ｎ  アドレス電極，  １０１−１および１０１−２  発光セル，  １０２−１および１０２−２  発光セル，  １０３−１および１０３−２  発光セル，  ２０１  プラズマディスプレイパネル，  ２４１−１乃至２４１−２n  アドレス電極，  ２９１−１および２９１−２  発光セル，  ２９２−１および２９２−２  発光セル，  ２９３−１および２９３−２  発光セル，  ３３４  背面基板誘電体層，  ３３４a、３３４b、および３３４c  凸部
【図１】
2006236946.tif 000003
【図２】
2006236946.tif 000004
【図３】
2006236946.tif 000005
【図４】
2006236946.tif 000006
【図５】
2006236946.tif 000007
【図６】
2006236946.tif 000008
【図７】
2006236946.tif 000009
【図８】
2006236946.tif 000010
【図９】
2006236946.tif 000011
【図１０】
2006236946.tif 000012
【図１１】
2006236946.tif 000013
【図１２】
2006236946.tif 000014
【図１３】
2006236946.tif 000015